(57)【要約】【課題】  所望の最大深度を超えてインプラント埋設穴が形成されるのを確実に防止できる歯科用インプラント埋設穴形成補助装置を提供する。【解決手段】  ドリル５２が装着されるハンドピース１０に装着可能な構成を持つ第１部材２０と、ハンドピース１０に装着されたドリル５２の軸心Ｘに沿って相対移動できるように、第１部材２０に係合された第２部材３０とを備える。ドリル５２により顎骨の埋設穴形成箇所にインプラント埋設穴を形成する際には、第１部材２０及び第２部材３０のいずれか一方が、サージカルガイドのガイド部材または前記埋設穴形成箇所の表面に直接的または間接的に当接すると共に、他方がドリル５２の軸心Ｘに沿って相対移動するように構成される。第１部材２０と第２部材３０の相対移動は、前記インプラント埋設穴の所望の最大深度に対応して設定された限界点を持つ。【選択図】    図１
2014087633.tif 000002
【特許請求の範囲】
【請求項１】
歯科用インプラント治療において、ドリル等の回転器具を用いて患者の顎骨にインプラント埋設穴を形成する際に補助的に使用される装置であって、
前記回転器具または前記回転器具が装着されるハンドピースに装着可能な構成を持つ第１部材と、
前記ハンドピースに装着された前記回転器具の軸心に沿って相対移動できるように、前記第１部材に係合された第２部材とを備え、
前記回転器具により前記顎骨の埋設穴形成箇所に前記インプラント埋設穴を形成する際には、前記第１部材及び前記第２部材のいずれか一方が、サージカルガイドのガイド部材または前記埋設穴形成箇所の表面に直接的または間接的に当接すると共に、他方が前記回転器具の軸心に沿って相対移動するように構成され、
前記第１部材と前記第２部材の相対移動は、前記インプラント埋設穴の所望の最大深度に対応して設定された限界点を持っていることを特徴とする歯科用インプラント埋設穴形成補助装置。
【請求項２】
前記第２部材が、前記回転器具の軸心と同心の位置において、前記回転器具の軸心に沿って相対移動可能な係合部を有している請求項１に記載の歯科用インプラント埋設穴形成補助装置。
【請求項３】
前記係合部が、前記回転器具の軸心と同心の位置で前記回転器具に係合され、且つ、前記回転器具の軸心に沿って前記第１部材から離れて配置されている請求項２に記載の歯科用インプラント埋設穴形成補助装置。
【請求項４】
前記係合部が、同心型サージカルガイドのガイド部材に係合可能な案内部としての機能を持っている請求項３に記載の歯科用インプラント埋設穴形成補助装置。
【請求項５】
前記第２部材が、前記回転器具の軸心から偏心した位置において、前記回転器具の軸心に沿って案内される案内部を有している請求項１〜４のいずれかに記載の歯科用インプラント埋設穴形成補助装置。
【請求項６】
前記第２部材が、前記回転器具の軸心から偏心した位置において、前記回転器具の軸心に沿って案内される案内部を有すると共に、前記係合部が、同心型サージカルガイドのガイド部材に係合可能な案内部としての機能を持っている請求項１〜４のいずれかに記載の歯科用インプラント埋設穴形成補助装置。
【請求項７】
前記係合部と前記第１部材との間に、前記係合部を前記第１部材から引き離す方向に付勢するバネが設けられている請求項１〜６のいずれかに記載の歯科用インプラント埋設穴形成補助装置。
【請求項８】
さらに、前記係合部と前記第１部材との間に配置される、前記第１部材と前記第２部材の相対移動の前記限界点を調整するためのスペーサを備えている請求項１〜７のいずれかに記載の歯科用インプラント埋設穴形成補助装置。
【請求項９】
前記第２部材の外面に、前記第１部材と前記第２部材の相対距離または相対位置を示す記号が付されている請求項１〜８のいずれかに記載の歯科用インプラント埋設穴形成補助装置。
【請求項１０】
歯科用インプラント治療において、ドリル等の回転器具を用いて患者の顎骨にインプラント埋設穴を形成する際に補助的に使用される装置であって、
前記回転器具または前記回転器具が装着されるハンドピースに装着可能な構成を持つ第１部材と、
前記ハンドピースに装着された前記回転器具の軸心に沿って相対移動できるように、前記第１部材に係合された第２部材とを備え、
前記第１部材は前記回転器具の軸心と同心に配置されていると共に、前記第２部材は前記第１部材の外側において前記回転器具の軸心と同心に配置されており、
前記回転器具により前記顎骨の埋設穴形成箇所に前記インプラント埋設穴を形成する際には、前記第１部材及び前記第２部材のいずれか一方が、サージカルガイドのガイド部材または前記埋設穴形成箇所の表面に直接的または間接的に当接すると共に、他方が前記回転器具の軸心に沿って相対移動するように構成され、
前記第１部材と前記第２部材の相対移動は、前記インプラント埋設穴の所望の最大深度に対応して設定された限界点を持っていることを特徴とする歯科用インプラント埋設穴形成補助装置。
【請求項１１】
前記第１部材が略円筒形であり、前記第２部材が前記第１部材と同心でそれよりも直径が大きい略円筒形とされている請求項１１に記載の歯科用インプラント埋設穴形成補助装置。
【請求項１２】
前記第２部材が、前記第１部材から離脱するのを防止する離脱防止機構を有している請求項１１または１２に記載の歯科用インプラント埋設穴形成補助装置。
【請求項１３】
前記離脱防止機構として、前記第１部材が第１Ｏリングを含むと共に、前記第２部材が第２Ｏリングを含んでおり、前記第１Ｏリングと前記回転器具との間の摩擦力を用いて前記第１部材が前記回転器具に係止され、前記第２Ｏリングと前記第１部材との間の摩擦力を用いて前記第２部材が前記第１部材に係止されている請求項１２に記載の歯科用インプラント埋設穴形成補助装置。
【請求項１４】
前記離脱防止機構として、前記第１部材及び前記第２部材にそれぞれ形成されたネジによって、前記第２部材が前記第１部材に係合され、前記第１部材または前記第２部材を相対的に回転させることで、前記回転器具の軸心に沿った方向の前記第１部材及び前記第２部材の相対位置を調整可能である請求項１２に記載の歯科用インプラント埋設穴形成補助装置。
【請求項１５】
位置調整された前記第２部材を前記第１部材上に固定するため、ネジによって前記第１部材に係合された追加の第２部材を備えている請求項１０〜１４のいずれかに記載の歯科用インプラント埋設穴形成補助装置。
【請求項１６】
前記第２部材と前記ガイド部材または前記埋設穴形成箇所の表面の間に配置される、前記第１部材と前記第２部材の相対移動の前記限界点を調整するためのスペーサをさらに備えている請求項１０〜１５のいずれかに記載の歯科用インプラント埋設穴形成補助装置。
【請求項１７】
前記第１部材または前記第２部材の外面に、前記第１部材と前記第２部材の相対距離または相対位置を示す記号が付されている請求項１０〜１６のいずれかに記載の歯科用インプラント埋設穴形成補助装置。
【請求項１８】
歯科用インプラント治療において、ドリル等の回転器具を用いて患者の顎骨にインプラント埋設穴を形成する際に補助的に使用される装置であって、
前記回転器具または前記回転器具が装着されるハンドピースに装着可能な構成を持つ第１部材と、
前記ハンドピースに装着された前記回転器具の軸心に沿って相対移動できるように、前記第１部材に係合された第２部材とを備え、
前記第１部材は前記回転器具の軸心と同心に配置されていると共に、前記第２部材は前記第１部材の外側において前記回転器具の軸心と同心に配置されており、
前記第１部材及び前記第２部材は、所望の相対位置に固定可能であり、
前記回転器具により前記顎骨の埋設穴形成箇所に前記インプラント埋設穴を形成する際には、前記第１部材及び前記第２部材が予め所望の相対位置で固定され、その後、前記第２部材がサージカルガイドのガイド部材に係合されると共に、前記第１部材及び前記第２部材のいずれか一方が、前記ガイド部材または埋設穴形成箇所の表面に直接的または間接的に当接することで、前記回転器具の軸心に沿った前記第１部材及び前記第２部材の移動が停止するように構成され、
前記第１部材と前記第２部材の相対位置は、前記インプラント埋設穴の所望の最大深度に対応して設定された限界点を決定することを特徴とする歯科用インプラント埋設穴形成補助装置。
【請求項１９】
前記第１部材が略円筒形であり、前記第２部材が前記第１部材と同心でそれよりも直径が大きい略円筒形とされている請求項１８に記載の歯科用インプラント埋設穴形成補助装置。
【請求項２０】
前記第２部材を前記第１部材に固定する機構が設けられている請求項１８または１９に記載の歯科用インプラント埋設穴形成補助装置。
【請求項２１】
前記第２部材を前記第１部材に固定する機構として、前記第１部材に形成されたネジと、前記第２部材に形成されたネジとによって、前記第２部材が前記第１部材に係合されており、前記第１部材または前記第２部材を相対的に回転させることで、前記回転器具の軸心に沿った方向の前記第１部材及び前記第２部材の相対位置を調整可能とされている請求項２０に記載の歯科用インプラント埋設穴形成補助装置。
【請求項２２】
前記第２部材と前記ガイド部材または前記埋設穴形成箇所の表面の間に配置される、前記第１部材と前記第２部材の相対移動の前記限界点を調整するためのスペーサをさらに備えている請求項１８〜２１のいずれかに記載の歯科用インプラント埋設穴形成補助装置。
【請求項２３】
前記第１部材または前記第２部材の外面に、前記第１部材と前記第２部材の相対距離または相対位置を示す記号が付されている請求項１８〜２２のいずれかに記載の歯科用インプラント埋設穴形成補助装置。
【請求項２４】
前記第１部材が磁石を含んでいて、前記磁石の磁力を用いて前記第１部材が前記ハンドピースまたは前記回転器具に装着可能とされている請求項１〜２３のいずれかに記載の歯科用インプラント埋設穴形成補助装置。
【請求項２５】
前記第２部材が前記回転器具に水を供給するための給水部を備えている請求項１〜２４のいずれかに記載の歯科用インプラント埋設穴形成補助装置。
【請求項２６】
前記第１部材が、前記ハンドピースに接続可能な延長シャフト部をさらに備えており、前記回転器具が前記延長シャフト部を介して前記ハンドピースに回転可能に接続されるように構成されている請求項１〜２５のいずれかに記載の歯科用インプラント埋設穴形成補助装置。
【請求項２７】
前記第１部材が、ハンドピース・カバーまたはそれに類似した弾性カバーを用いて前記ハンドピースに装着される構成を持っている請求項１〜２５のいずれかに記載の歯科用インプラント埋設穴形成補助装置。
【発明の詳細な説明】
【技術分野】
【０００１】
本発明は、歯科用インプラント埋設穴形成補助装置に関し、さらに言えば、歯科医が患者の顎骨にインプラント埋設穴を形成する際に補助的に使用する装置であって、所望の最大深度を超えてインプラント埋設穴が形成されるという事態を確実に防止できるものに関する。
【背景技術】
【０００２】
近年、歯の欠損部分にインプラント（人工歯根）を埋設して義歯を製作するという歯科療法（インプラント療法）が、しばしば実施されるようになっている。この療法では、ハンドピース等の穿孔装置に装着したドリルを用いて、欠損部分に対応する位置で顎骨にインプラント埋設穴を形成する。その際には、所望の位置及び方向でインプラント埋設穴が形成されるようにドリルを案内するため、サージカルガイドが使用される。サージカルガイドは、ステント、テンプレートなどとも呼ばれる。
【０００３】
サージカルガイドには、所望の位置及び方向にドリルを案内するためにガイド部材（通常は金属製である）が埋め込まれている。このため、前記ガイド部材がドリルの軸心と同心のガイド孔を有するタイプ（以下、同心型サージカルガイドという）と、前記ガイド部材がドリルの軸心から偏心し且つその軸心に平行なガイド孔を有するもの（以下、偏心型サージカルガイドという）とがある。
【０００４】
同心型サージカルガイドは、ドリル案内機能が比較的高く、インプラント埋設穴を高精度で形成できるという利点があるが、ドリルによる穿孔作業中に穿孔している箇所が歯科医師に見え難いという難点がある。偏心型サージカルガイドは、これとは反対である。すなわち、ドリルによる穿孔作業中に穿孔している箇所が歯科医師に見えやすく、穿孔作業がしやすいという利点があるが、ドリル案内機能が同心型サージカルガイドよりも低いという難点がある。
【０００５】
同心型サージカルガイドのガイド部材は、内部に円筒形のガイド孔を有するものが一般的であるが、これはドリルが直接ガイド孔に挿通されるからである。しかし、円筒形のガイド孔を形成する側壁の一部を切欠して、ガイド孔の軸心方向に延在するスリットを形成したものもある。これは、ガイド孔の側方からドリルを挿入できるようにして、ドリル挿入時に患者が口を大きく開けなくてすむようにするためである。スリット付きのガイド孔は、ガイド溝と言うことができる。
【０００６】
他方、偏心型サージカルガイドのガイド部材は、ガイド孔がドリルの軸心から偏心しており、ドリルが直接挿通されることがないため、円筒形あるいはそれに近い形である必要はない。このため、ガイド孔には、所望の位置及び方向にドリルを案内する（導く）ために設けられた部材または部品が係合される。その部材または部品が、ドリルの軸心から偏心した位置でガイド孔またはガイド溝に沿って移動することで、ドリルは所望の位置及び方向に案内される。
【０００７】
インプラント治療の結果は、インプラント埋設穴の形成状況の如何によって大きく左右される。このため、患者の顎骨に所望のインプラント埋設穴を形成するための器具（インプラント埋設穴形成器具）の改善が要望されている。事実、その要望に応じて、数多くの改善がなされて来ている。
【０００８】
例えば、特許文献１（特許第４８９１３３９号公報）には、フランジを持つ管状の案内部材を設けることで、サージカルガイドへの回転器具の挿入時に当該器具の位置を正確に制御できると共に、穿孔深度も制限できるようにした「歯科用ハンドピース」が開示されている。この歯科用ハンドピースでは、案内部材の管状部分をサージカルガイドのガイド部材のガイド孔またはガイド溝に挿入・嵌合することで、ドリル等の回転器具を所望の方向に案内し、また、前記案内部材のフランジが同ガイド部材の入口側端部に当接することで、前記回転器具による穿孔深度を制限する。つまり、穿孔深度が過大になるのを防止する。ここで使用するのは、同心型サージカルガイドである。
【０００９】
特許文献２（特表２００５−５１８８６８号公報）には、サージカルガイドに設けられたガイド部材としての位置決めバレルと、ハンドピースのヘッドに装着されたドリル整合アームとを備えた「インプラントの位置決め装置」が開示されている。ドリルは、ハンドピースのヘッドに装着されるが、その際に、ドリルは、所定距離をおいてドリル整合アームのドリル整合アームピンと平行になる。このインプラントの位置決め装置では、位置決めバレル（つまりガイド部材）の中央ボア（貫通孔）に、ドリル整合アームピンが挿入・嵌合することで、ドリルを位置決めバレルの軸心方向に案内し、ドリル整合アームピンが位置決めバレルの中央ボアに形成された深さ制御面に当接することで、ドリルによる穿孔深度を制限する。ここで使用するのは、偏心型サージカルガイドである。
【００１０】
特許文献３（特表２０１０−５１６３５６号公報）には、サージカルガイド（テンプレート）またはサージカルガイド内に固定された第１スリーブと、ドリル等の回転器具にその軸心方向に移動可能として係止された第２スリーブとを備え、第１スリーブと第２スリーブには、所定の保持力を超える力が作用すると解放される第１接続要素及び第２接続要素がそれぞれ設けられた「インプラント挿入を準備または実行する器具を備える装置」が開示されている。所定の保持力を超える力が作用するまでは、第１接続要素と第２接続要素による係合が解放されないので、回転器具に係止された第２スリーブが第１スリーブの内部をスライドする。しかし、所定の保持力を超える力が作用した後は、第１接続要素と第２接続要素の係合が解放されるため、回転器具が第２スリーブの内部をスライドする。
【００１１】
特許文献３の装置で使用する回転器具は、環状カラー等の構成を持つストップ部材をシャンク部に有しており、回転器具による穿孔深度が過大にならないようにしている。この装置では、回転器具に係止された第２スリーブを第１スリーブの貫通孔に挿入・嵌合することで、回転器具を所望の第１スリーブの軸心方向に案内し、回転器具のストップ部材が第２スリーブの上端に当接することで、回転器具による穿孔深度を制限する。つまり、穿孔深度が過大になるのを防止する。ここで使用するのは、同心型サージカルガイドである。
【先行技術文献】
【特許文献】
【００１２】
【特許文献１】特許第４８９１３３９号公報
【特許文献２】特表２００５−５１８８６８号公報
【特許文献３】特表２０１０−５１６３５６号公報
【発明の概要】
【発明が解決しようとする課題】
【００１３】
上述した特許文献１の歯科用ハンドピースでは、ハンドピースに設けられた案内部材の管状部分が、サージカルガイドのガイド部材のガイド孔またはガイド溝に挿入・嵌合することで、回転器具をガイド部材の軸心方向に案内し、案内部材に設けられたフランジが同ガイド部材の入口側端部に当接することで、回転器具による穿孔深度を制限するので、インプラント埋設穴を所望の位置及び方向において所望深さで形成することはできるが、ハンドピースの買い換えが必要であり、歯科医師が既に所有しているハンドピースを使用してインプラント療法を実施することができない、という難点がある。
【００１４】
上述した特許文献２のインプラントの位置決め装置では、サージカルガイドに設けられた位置決めバレル（ガイド部材）の中央ボア（貫通孔）に、回転器具に装着されたドリル整合アームピンが挿入・嵌合することで、ドリルを位置決めバレルの軸心方向に案内し、位置決めバレルの中央ボアに形成された深さ制御面にドリル整合アームピンが当接することで、ドリルによる穿孔深度を制限する。このため、上述した特許文献１の歯科用ハンドピースとは異なり、ハンドピースの買い換えは必要ないが、サージカルガイドに独特（専用）の構造を持つ位置決めバレルを装着する必要がある、という難点がある。また、ドリルによる最大穿孔深度を変えるためには、位置決めバレルまたはドリル整合アームピンの位置、寸法等を変える必要があり、最大穿孔深度の調整が容易ではない、という難点もある。
【００１５】
上述した特許文献３のインプラント挿入を準備または実行する器具を備える装置では、回転器具に係止された第２スリーブを第１スリーブの貫通孔に挿入・嵌合することで、回転器具を所望の第１スリーブの軸心方向に案内し、回転器具のストップ部材が第２スリーブの上端に当接することで、回転器具による穿孔深度を制限するので、回転器具の位置と方向を正確に案内することはできる。しかし、回転器具のシャンク部に設けたストップ部材が第２スリーブの端部に当接することで、回転器具による穿孔深度を制限するので、回転器具による最大穿孔深度を変えるためには、ドリル等の回転器具それ自体を変える必要がある、という難点もある。
【００１６】
本発明は、以上述べたような事情を考慮してなされたものであり、その目的とするところは、ドリル等の回転器具を用いたインプラント埋設穴の形成時に、所望の最大深度を超えてインプラント埋設穴が形成されるという事態を確実に防止できると共に、前記最大深度の調整も容易に行える歯科用インプラント埋設穴形成補助装置を提供することである。
【００１７】
本発明の他の目的は、歯科医師が既に所有しているハンドピースに装着して使用できると共に、取り扱いも容易であり、しかも、低いコストで製造することができる歯科用インプラント埋設穴形成補助装置を提供することにある。
【００１８】
ここに明記しない本発明のさらに他の目的は、以下の説明及び添付図面から明らかである。
【課題を解決するための手段】
【００１９】
（１）  本発明の第１の観点では、歯科用インプラント埋設穴形成補助装置が提供される。この歯科用インプラント埋設穴形成補助装置は、
歯科用インプラント治療において、ドリル等の回転器具を用いて患者の顎骨にインプラント埋設穴を形成する際に補助的に使用される装置であって、
前記回転器具または前記回転器具が装着されるハンドピースに装着可能な構成を持つ第１部材と、
前記ハンドピースに装着された前記回転器具の軸心に沿って相対移動できるように、前記第１部材に係合された第２部材とを備え、
前記回転器具により前記顎骨の埋設穴形成箇所に前記インプラント埋設穴を形成する際には、前記第１部材及び前記第２部材のいずれか一方が、サージカルガイドのガイド部材または前記埋設穴形成箇所の表面に直接的または間接的に当接すると共に、他方が前記回転器具の軸心に沿って相対移動するように構成され、
前記第１部材と前記第２部材の相対移動は、前記インプラント埋設穴の所望の最大深度に対応して設定された限界点を持っていることを特徴とするものである。
【００２０】
本発明の第１の観点による歯科用インプラント埋設穴形成補助装置は、上記のような構成を有するので、前記第１部材を前記回転器具または前記ハンドピースに装着すると、前記第２部材は、前記ハンドピースに装着された前記回転器具の軸心に沿って相対移動可能となる。また、前記ハンドピースに装着された前記回転器具で前記顎骨の埋設穴形成箇所に前記インプラント埋設穴を形成する際には、前記第１部材及び前記第２部材のいずれか一方が、前記ガイド部材または前記埋設穴形成箇所の表面に直接的または間接的に当接し、他方が前記回転器具の軸心に沿って相対移動するため、前記回転器具による作業が進むにつれて、前記第１部材と前記第２部材の間の距離が徐々に変化する。
【００２１】
前記第１部材と前記第２部材の相対移動は、前記インプラント埋設穴の所望の最大深度に対応して設定された限界点を持っているので、前記インプラント埋設穴の形成時における前記第１部材と前記第２部材の相対移動が、前記限界点を越えて行われることはない。よって、前記回転器具により形成される前記インプラント埋設穴の深度が、前記最大深度を超えることがない。つまり、前記最大深度を超えて前記インプラント埋設穴が形成されるという事態は確実に防止される。
【００２２】
また、前記第１部材と前記第２部材の間に適当なスペーサを介在させたり、前記ガイド部材または前記埋設穴形成箇所と、それに近接する前記第１部材または前記第２部材との間に、適当なスペーサを介在させたり、前記第１部材及び前記第２部材の少なくとも一方について前記回転器具の軸心に沿った長さを変えたりすることで、前記第１部材と前記第２部材の相対移動の限界点を容易に調整できるので、前記所望の最大深度の調整も容易である。
【００２３】
また、本発明の第１の観点による歯科用インプラント埋設穴形成補助装置は、前記第１部材を前記回転器具または前記ハンドピースに装着することで使用可能となるので、歯科医師が既に所有しているハンドピースに装着して使用することが可能である。
【００２４】
さらに、前記インプラント埋設穴を形成する際には、前記第１部材及び前記第２部材のいずれか一方を、前記ガイド部材または前記埋設穴形成箇所の表面に直接的または間接的に当接させ、他方を前記回転器具の軸心に沿って相対移動させればよい。また、前記第１部材と前記第２部材の相対移動には前記限界点が設けられているから、前記所望の最大深度を超えないように注意する必要もない。したがって、本発明の第１の観点による歯科用インプラント埋設穴形成補助装置は、取り扱いも容易である。
【００２５】
しかも、上述した構成を持つ前記第１部材と前記第２部材を含む簡単な構成であるだけでなく、特別に高価な材料や特別な製法を使用する必要もないから、低いコストで製造することができる。
【００２６】
（２）  本発明の第１の観点による歯科用インプラント埋設穴形成補助装置の好ましい例では、前記第２部材が、前記回転器具の軸心と同心の位置において、前記回転器具の軸心に沿って相対移動可能な係合部を有する。
【００２７】
この例では、前記係合部が、前記回転器具の軸心と同心の位置で前記回転器具に係合され、且つ、前記回転器具の軸心に沿って前記第１部材から離れて配置されるのが好ましい。この場合、前記案第１内部が前記回転器具に係合しているので、前記係合部ひいては前記第２部材の移動が安定するという利点がある。
【００２８】
前記係合部は、同心型サージカルガイドのガイド部材に係合可能な案内部としての機能を持つのが好ましい。この場合、前記係合部を同心型サージカルガイドのガイド部材に係合させながら、前記インプラント埋設穴を形成できるという利点がある。
【００２９】
前記第２部材は、前記回転器具の軸心から偏心した位置において、前記回転器具の軸心に沿って案内される案内部を有するのが好ましい。この例では、偏心型サージカルガイドを使用できる、という利点がある。
【００３０】
前記第２部材が、前記回転器具の軸心から偏心した位置において、前記回転器具の軸心に沿って案内される案内部を有すると共に、前記係合部が、同心型サージカルガイドのガイド部材に係合可能な案内部としての機能を持つのが好ましい。この場合、偏心型サージカルガイドと同心型サージカルガイドのいずれにも適用できる、という利点がある。
【００３１】
前記係合部と前記第１部材との間に、前記係合部を前記第１部材から引き離す方向に付勢するバネを設けるのが好ましい。この場合、前記係合部が、常時、前記第１部材から引き離す方向に付勢されているため、前記インプラント埋設穴の形成時に、歯科医師が前記係合部を押さえる必要がなく、取り扱いがいっそう容易になる、という利点がある。
【００３２】
さらに、前記係合部と前記第１部材との間に、前記第１部材と前記第２部材の相対移動の前記限界点を調整するためのスペーサが配置されるのが好ましい。この場合、高さ（厚さ）の異なる複数のスペーサを用意しておき、それらを選択的に使用することで、前記回転部材や、当該歯科用インプラント埋設穴形成補助装置を交換することなく、前記インプラント埋設穴の前記最大深度を調整することが容易である、という利点がある。
【００３３】
前記第２部材の外面には、前記第１部材と前記第２部材の相対距離または相対位置を示す記号が付されるのが好ましい。この例では、前記第１部材と前記第２部材の相対距離または相対位置を確認しながら前記インプラント埋設穴を形成することができる、という利点がある。ここで「記号」とは、目盛り、数値、符号、図形等、前記相対距離または相対位置を示すものであれば、任意のものが含まれる。
【００３４】
好ましくは、前記第１部材は、磁石を含んでいて、前記磁石の磁力を用いて前記第１部材が前記ハンドピースまたは前記回転器具に装着可能とされる。または、前記第１部材を前記ハンドピースに装着するための装着部材をさらに備え、前記第１部材が前記装着部材に係止されるように構成される。
【００３５】
好ましくは、前記第２部材は、前記回転器具に水を供給するための給水部を備える。
【００３６】
前記第１部材が、前記ハンドピースに接続可能な延長シャフト部を有しており、前記回転器具が前記延長シャフト部を介して前記ハンドピースに回転可能に接続されるようにしてもよい。前記第１部材が、ハンドピース・カバーまたはそれに類似したカバーを用いて前記ハンドピースに装着される構成を持ってもよい。
【００３７】
（３）  本発明の第２の観点では、他の歯科用インプラント埋設穴形成補助装置が提供される。この歯科用インプラント埋設穴形成補助装置は、
歯科用インプラント治療において、ドリル等の回転器具を用いて患者の顎骨にインプラント埋設穴を形成する際に補助的に使用される装置であって、
前記回転器具または前記回転器具が装着されるハンドピースに装着可能な構成を持つ第１部材と、
前記ハンドピースに装着された前記回転器具の軸心に沿って相対移動できるように、前記第１部材に係合された第２部材とを備え、
前記第１部材は前記回転器具の軸心と同心に配置されていると共に、前記第２部材は前記第１部材の外側において前記回転器具の軸心と同心に配置されており、
前記回転器具により前記顎骨の埋設穴形成箇所に前記インプラント埋設穴を形成する際には、前記第１部材及び前記第２部材のいずれか一方が、サージカルガイドのガイド部材または前記埋設穴形成箇所の表面に直接的または間接的に当接すると共に、他方が前記回転器具の軸心に沿って相対移動するように構成され、
前記第１部材と前記第２部材の相対移動は、前記インプラント埋設穴の所望の最大深度に対応して設定された限界点を持っていることを特徴とするものである。
【００３８】
本発明の第２の観点による歯科用インプラント埋設穴形成補助装置は、上記のような構成を有するので、前記第１部材を前記回転器具または前記ハンドピースに装着すると、前記第２部材は、前記ハンドピースに装着された前記回転器具の軸心に沿って相対移動可能となる。前記第１部材は前記回転器具の軸心と同心に配置され、前記第２部材は前記第１部材の外側において前記回転器具の軸心と同心に配置されているので、前記第２部材は、前記第１部材の外側を前記第１部材と同じ方向に移動する。
【００３９】
また、前記ハンドピースに装着された前記回転器具で前記顎骨の埋設穴形成箇所に前記インプラント埋設穴を形成する際には、外側にある前記第２部材がサージカルガイドのガイド部材に係合される。そして、前記第１部材及び前記第２部材のいずれか一方が、前記ガイド部材または前記埋設穴形成箇所の表面に直接的または間接的に当接し、他方が前記回転器具の軸心に沿って相対移動するため、前記回転器具による作業が進むにつれて、前記第１部材と前記第２部材の間の距離が徐々に変化する。
【００４０】
前記第１部材と前記第２部材の相対移動は、前記インプラント埋設穴の所望の最大深度に対応して設定された限界点を持っているので、前記インプラント埋設穴の形成時における前記第１部材と前記第２部材の相対移動が、前記限界点を越えて行われることはない。よって、前記回転器具により形成される前記インプラント埋設穴の深度が、前記最大深度を超えることがない。つまり、前記最大深度を超えて前記インプラント埋設穴が形成されるという事態は確実に防止される。
【００４１】
また、前記第１部材または前記第２部材と前記ハンドピースの間に適当なスペーサを介在させたり、前記ガイド部材または前記埋設穴形成箇所と、それに近接する前記第１部材または前記第２部材との間に、適当なスペーサを介在させたり、前記第１部材及び前記第２部材の少なくとも一方について前記回転器具の軸心に沿った長さを変えたりすることで、前記第１部材と前記第２部材の相対移動の限界点を容易に調整できるので、前記所望の最大深度の調整も容易である。
【００４２】
また、本発明の第２の観点による歯科用インプラント埋設穴形成補助装置は、前記第１部材を前記回転器具または前記ハンドピースに装着することで使用可能となるので、歯科医師が既に所有しているハンドピースに装着して使用することが可能である。
【００４３】
さらに、前記インプラント埋設穴を形成する際には、前記第２部材を前記ガイド部材または前記埋設穴形成箇所の表面に直接的または間接的に当接させ、前記第１部材を前記回転器具の軸心に沿って相対移動させればよい。また、前記第１部材と前記第２部材の相対移動には前記限界点が設けられているから、前記所望の最大深度を超えないように注意する必要もない。したがって、本発明の第２の観点による歯科用インプラント埋設穴形成補助装置は、取り扱いも容易である。
【００４４】
しかも、上述した構成を持つ前記第１部材と前記第２部材を含む簡単な構成であるだけでなく、特別に高価な材料や特別な製法を使用する必要もないから、低いコストで製造することができる。
【００４５】
（４）  本発明の第２の観点による歯科用インプラント埋設穴形成補助装置の好ましい例では、前記第１部材が略円筒形であり、前記第２部材が前記第１部材と同心でそれよりも直径が大きい略円筒形とされる。この例では、前記第１部材と前記第２部材の構成がより簡単になる、という利点がある。
【００４６】
この例では、前記第２部材が前記第１部材から離脱するのを防止する機構（離脱防止機構）が設けられるのが好ましい。この場合、前記インプラント埋設穴を形成する際に、患者の口の中で前記第２部材が前記第１部材から離脱する、といった危険な事態を防止できる、という利点がある。
【００４７】
前記離脱防止機構としては、例えば、前記第１部材が第１Ｏリングを含むと共に、前記第２部材が第２Ｏリングを含んでおり、前記第１Ｏリングと前記回転器具との間の摩擦力を用いて前記第１部材が前記回転器具に係止され、前記第２Ｏリングと前記第１部材との間の摩擦力を用いて前記第２部材が前記第１部材に係止されるようにしてもよい。また、前記第１部材がＯリングを含んでおり、前記Ｏリングと前記回転器具との間の摩擦力を用いて前記第１部材が前記回転器具に装着可能とされてもよい。
【００４８】
前記第１部材及び前記第２部材にそれぞれ形成されたネジによって、前記第２部材が前記第１部材に係合され、前記第１部材または前記第２部材を相対的に回転させることで、前記回転器具の軸心に沿った方向の前記第１部材及び前記第２部材の相対位置を調整可能としてもよい。前記第１部材及び前記第２部材の相対位置の調整が、容易且つ正確に行えるという利点がある。
【００４９】
この場合、位置調整された前記第２部材を前記第１部材上に固定するために、ネジによって前記第１部材に係合された追加の第２部材を備えてもよい。
【００５０】
さらに、前記第２部材と前記ガイド部材または前記埋設穴形成箇所の表面の間に、前記第１部材と前記第２部材の相対移動の前記限界点を調整するためのスペーサが配置されるのが好ましい。この場合、高さ（厚さ）の異なる複数のスペーサを用意しておき、それらを選択的に使用することで、前記回転部材や、当該歯科用インプラント埋設穴形成補助装置を交換することなく、前記インプラント埋設穴の前記最大深度を調整することが容易である、という利点がある。
【００５１】
前記第１部材または前記第２部材の外面には、前記第１部材と前記第２部材の相対距離または相対位置を示す記号が付されるのが好ましい。この例では、前記第１部材と前記第２部材の相対距離または相対位置を確認しながら前記インプラント埋設穴を形成することができる、という利点がある。ここで「記号」とは、本発明の第１の観点による歯科用インプラント埋設穴形成補助装置で述べたものと同じである。
【００５２】
好ましくは、前記第１部材は、磁石を含んでいて、前記磁石の磁力を用いて前記第１部材が前記ハンドピースまたは前記回転器具に装着可能とされる。または、前記第１部材を前記ハンドピースに装着するための装着部材をさらに備え、前記第１部材が前記装着部材に係止されるように構成される。
【００５３】
好ましくは、前記第２部材は、前記回転器具に水を供給するための給水部を備える。
【００５４】
前記第１部材が、前記ハンドピースに接続可能な延長シャフト部を有しており、前記回転器具が前記延長シャフト部を介して前記ハンドピースに回転可能に接続されるようにしてもよい。前記第１部材が、ハンドピース・カバーまたはそれに類似したカバーを用いて前記ハンドピースに装着される構成を持ってもよい。
【００５５】
（５）  本発明の第３の観点では、さらに他の歯科用インプラント埋設穴形成補助装置が提供される。この歯科用インプラント埋設穴形成補助装置は、
歯科用インプラント治療において、ドリル等の回転器具を用いて患者の顎骨にインプラント埋設穴を形成する際に補助的に使用される装置であって、
前記回転器具または前記回転器具が装着されるハンドピースに装着可能な構成を持つ第１部材と、
前記ハンドピースに装着された前記回転器具の軸心に沿って相対移動できるように、前記第１部材に係合された第２部材とを備え、
前記第１部材は前記回転器具の軸心と同心に配置されていると共に、前記第２部材は前記第１部材の外側において前記回転器具の軸心と同心に配置されており、
前記第１部材及び前記第２部材は、所望の相対位置に固定可能であり、
前記回転器具により前記顎骨の埋設穴形成箇所に前記インプラント埋設穴を形成する際には、前記第１部材及び前記第２部材が予め所望の相対位置で固定され、その後、前記第２部材がサージカルガイドのガイド部材に係合されると共に、前記第１部材及び前記第２部材のいずれか一方が、前記ガイド部材または埋設穴形成箇所の表面に直接的または間接的に当接することで、前記回転器具の軸心に沿った前記第１部材及び前記第２部材の移動が停止するように構成され、
前記第１部材と前記第２部材の相対位置は、前記インプラント埋設穴の所望の最大深度に対応して設定された限界点を決定することを特徴とするものである。
【００５６】
本発明の第３の観点による歯科用インプラント埋設穴形成補助装置では、上記のような構成を有するので、前記第１部材を前記回転器具または前記ハンドピースに装着すると、前記第２部材は、前記ハンドピースに装着された前記回転器具の軸心に沿って相対移動可能となる。前記ハンドピースに装着された前記回転器具で前記顎骨の埋設穴形成箇所に前記インプラント埋設穴を形成する際には、前記第１部材及び前記第２部材は予め所望の相対位置に固定される。そして、前記第２部材がサージカルガイドのガイド部材に係合されると、前記回転器具による作業が進むにつれて、前記第１部材及び前記第２部材が前記回転器具の軸心に沿った移動する。記第１部材及び前記第２部材のいずれか一方が、前記ガイド部材または埋設穴形成箇所の表面に直接的または間接的に当接すると、前記回転器具の軸心に沿った前記第１部材及び前記第２部材の移動が停止する。
【００５７】
前記第１部材と前記第２部材の相対位置が、前記インプラント埋設穴の所望の最大深度に対応して設定された限界点を決定するので、所望の最大深度となるように前記第１部材と前記第２部材の相対位置を調整することにより、前記インプラント埋設穴の形成時に前記限界点を越えることが防止される。よって、前記回転器具により形成される前記インプラント埋設穴の深度が、前記最大深度を超えることがない。つまり、前記最大深度を超えて前記インプラント埋設穴が形成されるという事態は確実に防止される。
【００５８】
また、前記第１部材または前記第２部材と前記ハンドピースの間に適当なスペーサを介在させたり、前記ガイド部材または前記埋設穴形成箇所と、それに近接する前記第１部材または前記第２部材との間に、適当なスペーサを介在させたり、前記第１部材及び前記第２部材の少なくとも一方について前記回転器具の軸心に沿った長さを変えたりすることで、前記第１部材と前記第２部材の相対移動の限界点を容易に調整できるので、前記所望の最大深度の調整も容易である。
【００５９】
また、本発明の第３の観点による歯科用インプラント埋設穴形成補助装置は、前記第１部材を前記回転器具または前記ハンドピースに装着することで使用可能となるので、歯科医師が既に所有しているハンドピースに装着して使用することが可能である。
【００６０】
さらに、前記インプラント埋設穴を形成する際には、前記第２部材を前記ガイド部材または前記埋設穴形成箇所の表面に直接的または間接的に当接させ、予め相対位置に固定された前記第１部材及び前記第２部材を前記回転器具の軸心に沿って相対移動させればよい。また、前記第１部材と前記第２部材の相対移動には前記限界点が設けられているから、前記所望の最大深度を超えないように注意する必要もない。したがって、本発明の第３の観点による歯科用インプラント埋設穴形成補助装置は、取り扱いも容易である。
【００６１】
しかも、上述した構成を持つ前記第１部材と前記第２部材を含む簡単な構成であるだけでなく、特別に高価な材料や特別な製法を使用する必要もないから、低いコストで製造することができる。
【００６２】
（６）  本発明の第３の観点による歯科用インプラント埋設穴形成補助装置の好ましい例では、前記第１部材が略円筒形であり、前記第２部材が前記第１部材と同心でそれよりも直径が大きい略円筒形とされる。この例では、前記第１部材と前記第２部材の構成がより簡単になる、という利点がある。
【００６３】
この例では、前記第２部材を前記第１部材に固定する機構が設けられるのが好ましい。この例では、前記インプラント埋設穴を形成する前に、前記第１部材及び前記第２部材を、所望の相対位置に容易に固定できる、という利点がある。
【００６４】
前記第２部材を前記第１部材に固定する機構としては、前記第１部材に形成されたネジと、前記第２部材に形成されたネジとによって、前記第２部材が前記第１部材に係合されており、前記第１部材または前記第２部材を相対的に回転させることで、前記回転器具の軸心に沿った方向の前記第１部材及び前記第２部材の相対位置を調整可能とされるのが好ましい。また、前記第１部及び前記第２部材のいずれか一方に形成された係合孔に、他方に形成された係合突起を押し込む（または嵌合させる）ことで、前記第２部材が前記第１部材に係合・固定されるようにしてもよい。
【００６５】
さらに、前記第２部材と前記ガイド部材または前記埋設穴形成箇所の表面の間に、前記第１部材と前記第２部材の相対移動の前記限界点を調整するためのスペーサが配置されるのが好ましい。この場合、高さ（厚さ）の異なる複数のスペーサを用意しておき、それらを選択的に使用することで、前記回転部材や、当該歯科用インプラント埋設穴形成補助装置を交換することなく、前記インプラント埋設穴の前記最大深度を調整することが容易である、という利点がある。
【００６６】
前記第１部材または前記第２部材の外面には、前記第１部材と前記第２部材の相対距離または相対位置を示す記号が付されるのが好ましい。この例では、前記第１部材と前記第２部材の相対距離または相対位置を確認しながら前記インプラント埋設穴を形成することができる、という利点がある。ここで「記号」とは、本発明の第１の観点による歯科用インプラント埋設穴形成補助装置で述べたものと同じである。
【００６７】
好ましくは、前記第１部材は、磁石を含んでいて、前記磁石の磁力を用いて前記第１部材が前記ハンドピースまたは前記回転器具に装着可能とされる。または、前記第１部材を前記ハンドピースに装着するための装着部材をさらに備え、前記第１部材が前記装着部材に係止されるように構成される。
【００６８】
好ましくは、前記第２部材は、前記回転器具に水を供給するための給水部を備える。
【００６９】
前記第１部材が、前記ハンドピースに接続可能な延長シャフト部を有しており、前記回転器具が前記延長シャフト部を介して前記ハンドピースに回転可能に接続されるようにしてもよい。前記第１部材が、ハンドピース・カバーまたはそれに類似したカバーを用いて前記ハンドピースに装着される構成を持ってもよい
（７）  本発明において、「回転器具」とは、インプラント埋設穴の形成に使用される器具を意味する。具体的には、ドリルの他、サーキュラーナイフなどの回転式歯肉切除器具、ラウンドバー、プラットホームリーマー、プロファイラーなどの骨形態修正器具、トレフィンバーなどの骨片回収器具、ボーンスプレッダーなどの骨幅径増大器具、サイナスリーマーなどの上顎洞底挙上用器具、タッピングインスツルメントなどのねじ切り形成器具、インプラントホルダー、コントラアダプターなどのインプラント埋設穴の形成やねじ切り形成と同時にインプラントを埋設できる器具、ドリルエクステンションなどのドリル、その他の器具を延長するための器具などを意味する。
【発明の効果】
【００７０】
本発明の第１、第２及び第３の観点による歯科用インプラント埋設穴形成補助装置によれば、（ａ）ドリル等の回転器具を用いたインプラント埋設穴の形成時に、所望の最大深度を超えてインプラント埋設穴が形成されるという事態を確実に防止できると共に、前記最大深度の調整も容易に行える、（ｂ）歯科医師が既に所有しているハンドピースに装着して使用できると共に、取り扱いも容易であり、しかも、低いコストで製造することができる、という効果がある。
【図面の簡単な説明】
【００７１】
【図１】本発明の第１実施形態に係る歯科用インプラント埋設穴形成補助装置の全体構成を示す要部断面正面図である。
【図２】図１の歯科用インプラント埋設穴形成補助装置の使用状態を示す斜視図である。
【図３】図１の歯科用インプラント埋設穴形成補助装置に使用された第１部材の断面図である。
【図４】（ａ）は図３の第１部材に使用された部材本体の断面図、（ｂ）はその平面図である。
【図５】（ａ）は図３の第１部材に使用された磁石の断面図、（ｂ）はその平面図である。
【図６Ａ】図１の歯科用インプラント埋設穴形成補助装置に使用された第２部材の一部断面正面図である。
【図６Ｂ】図１の歯科用インプラント埋設穴形成補助装置に使用された第２部材の平面図である。
【図７】（ａ）は図１の歯科用インプラント埋設穴形成補助装置と共に使用されるスペーサを示す断面図、（ｂ）はその平面図である。
【図８】（ａ）〜（ｃ）は、偏心型サージカルガイドを用いて、図１の歯科用インプラント埋設穴形成補助装置によってインプラント埋設穴を形成するプロセスを示す一部断面正面図である。
【図９】（ａ）〜（ｃ）は、同心型サージカルガイドを用いて、図１の歯科用インプラント埋設穴形成補助装置によってインプラント埋設穴を形成するプロセスを示す一部断面正面図である。
【図１０】本発明の第２実施形態に係る歯科用インプラント埋設穴形成補助装置の全体構成を示す要部断面正面図である。
【図１１】本発明の第３実施形態に係る歯科用インプラント埋設穴形成補助装置の全体構成を示す斜視図である。
【図１２】図１１の歯科用インプラント埋設穴形成補助装置をハンドピースに装着するために使用された装着部材の構成を示す分解斜視図である。
【図１３】図１１の歯科用インプラント埋設穴形成補助装置に使用された第１部材と第２部材の係合状態を示す断面図である。
【図１４】（ａ）〜（ｃ）は、同心型サージカルガイドを用いて、図１１の歯科用インプラント埋設穴形成補助装置によってインプラント埋設穴を形成するプロセスを示す一部断面正面図である。
【図１５】本発明の第４実施形態に係る歯科用インプラント埋設穴形成補助装置の全体構成を示す要部断面正面図である。
【図１６】本発明の第５実施形態に係る歯科用インプラント埋設穴形成補助装置の全体構成を示す要部断面正面図である。
【図１７】図１６の歯科用インプラント埋設穴形成補助装置に使用された第１部材の斜視図である。
【図１８】図１６の歯科用インプラント埋設穴形成補助装置に使用された第２部材の斜視図である。
【図１９】本発明の第６実施形態に係る歯科用インプラント埋設穴形成補助装置の全体構成を示す要部断面正面図である。
【図２０】本発明の第７実施形態に係る歯科用インプラント埋設穴形成補助装置の全体構成を示す要部断面正面図である。
【図２１】図２０の歯科用インプラント埋設穴形成補助装置に使用された第１部材におけるＯリング係合状態を示す横断面図である。
【図２２】図２０の歯科用インプラント埋設穴形成補助装置に使用された第２部材におけるＯリング係合状態を示す部分縦断面図である。
【図２３】本発明の第８実施形態に係る歯科用インプラント埋設穴形成補助装置の全体構成を示す断面図である。
【図２４】図２３の歯科用インプラント埋設穴形成補助装置に使用された第１部材の断面図である。
【図２５】図２３の歯科用インプラント埋設穴形成補助装置に使用された第２部材の断面図である。
【図２６】本発明の第９実施形態に係る歯科用インプラント埋設穴形成補助装置の全体構成を示す図で、第２部材がストッパとして機能する場合の断面図である。
【図２７】図２６の歯科用インプラント埋設穴形成補助装置において、第１部材がストッパとして機能する場合の断面図である。
【図２８】本発明の第１０実施形態に係る歯科用インプラント埋設穴形成補助装置の全体構成を示す要部断面正面図である。
【図２９】本発明の第１１実施形態に係る歯科用インプラント埋設穴形成補助装置において、第１部材のハンドピースへの保持構造を示す要部断面正面図である。
【図３０】本発明の第１２実施形態に係る歯科用インプラント埋設穴形成補助装置の全体構成を示す要部断面正面図である。
【図３１】本発明の第１３実施形態に係る歯科用インプラント埋設穴形成補助装置の全体構成を示す要部断面正面図である。
【図３２】本発明の第１４実施形態に係る歯科用インプラント埋設穴形成補助装置の全体構成を示す要部断面正面図である。
【図３３】図３２の歯科用インプラント埋設穴形成補助装置に使用された第１部材の正面図である。
【図３４】図３２の歯科用インプラント埋設穴形成補助装置に使用された第２部材の正面図である。
【発明を実施するための形態】
【００７２】
以下、添付図面を参照しながら、本発明の好適な実施形態について説明する。
【００７３】
（第１実施形態）
図１及び図２に、本発明の第１実施形態に係る歯科用インプラント埋設穴形成補助装置１の全体構成を      ｖ５６ｔ示す。本実施形態は、上述した本発明の第１の観点による歯科用インプラント埋設穴形成補助装置に対応する。
【００７４】
両図から分かるように、本実施形態に係る歯科用インプラント埋設穴形成補助装置１は、ハンドピース１０のヘッド１１の下面に装着された第１部材２０と、その第１部材２０によってヘッド１１の下方に相対移動可能に保持された第２部材３０とを備えている。
【００７５】
第１部材２０は、図３〜図５に示すように、中心部に円形の貫通孔２１ａを有し且つ片面に凹部２１ｂを有する略円板状の部材本体２１と、その部材本体２１の凹部２１ｂに嵌合・固着された円環状の磁石２２とから構成されている。部材本体２１の円形の貫通穴２１ａと、磁石２２の円形の貫通孔２２ａとは、同心である。貫通孔２１ａと２２ａには、ハンドピース１０のヘッド１１に回転可能に装着されたドリル５２が挿通されている。ヘッド１１の下面に接触せしめられているのは、磁石２２の露出面で、磁石２２はそれ自身が持つ磁力（磁気吸引力）によって、前記下面に密着・固定されている。
【００７６】
ドリル５２は、図１では上下方向に延在しており、その上端（基端）がヘッド１１の内部に挿入・係止されている。ドリル５２は、ヘッド１１とネック１２に内蔵された公知の駆動機構（図示せず）によって、その軸心Ｘの周りに回転せしめられる。ドリル５２は、必要に応じて、サイズの異なる他のドリル等と交換可能である。
【００７７】
第１部材２０は、既存のハンドピース１０のヘッド１１に第２部材３０を後付けするために設けられたものである。そのため、第１部材２０は、図３及び図４に示すように、部材本体２１の一端から、部材本体２１（つまり第１部材２０）に平行に（図１では水平方向に）突出した係合部２１ｃを有している。係合部２１ｃは、図４に示すように、略扇形であり、後述する第２部材３０の案内部３１の案内溝３１ｃと係合して、その案内溝３１ｃに沿って上下方向にスライドされるようになっている。
【００７８】
第２部材３０は、図６Ａ及び図６Ｂに示すように、全体が略階段状の構成を有している。すなわち、上下方向に延在する棒状の案内部３１と、案内部３１の下端に一端が接続され且つ水平方向に延在する板状の連結部３２と、連結部の他端に形成され且つ上下方向に延在する略円筒形の係合案内部３３とを有している。案内部３１は、インプラント埋設穴形成時に、偏心型サージカルガイドのガイド溝に係合せしめられ、そのガイド溝に沿ってインプラント埋設穴形成補助装置１を案内する。係合案内部３３は、インプラント埋設穴形成時に、同心型サージカルガイドのガイド溝に係合せしめられ、そのガイド溝に沿ってインプラント埋設穴形成補助装置１を案内する。係合案内部３３は、また、それを貫通しているドリル５２と内部で係合していて、第１部材２０に対する第２部材３０の相対移動を安定させる作用もする。
【００７９】
案内部３１は、図６Ｂに示すように、断面が円弧状で、その内側に案内溝３１ｃが形成されている。案内溝３１ｃには、第１部材２０の係合部２１ｃが係合している。第２部材３０は、案内溝３１ｃに沿って且つ案内溝３１ｃに案内されながら、上下に移動可能である。
【００８０】
案内部３１の外面には、インプラント埋設穴の形成作業中に歯科医師が、インプラント埋設穴の現在の深度を目視で確認できるように、目盛り３１ａが表示されている。歯科医師は、目盛り３１ａを読み取ることで、埋設穴形成箇所やドリル５２の先端がはっきりと見えなくても、現在の深度を知ることができるので、穿孔作業を安心且つ安全に行うことができる。目盛り３１ａは、ここでは、等間隔で表示された互いに平行な複数の線分と、それら線分の近傍に付された数値とから形成されている。
【００８１】
案内部３１の上端には、係合案内部３３の側（内方）に水平に突出した小さな突起３１ｂが形成されている。突起３１ｂは、図１に示すように、第１部材２０の係合部２１ｃと係合して、第２部材３０が図１の状態からそれ以上に下降するのを防止している。第１部材２０の係合部２１ｃと案内溝３１ｃとの係合は、第１部材２０をハンドピース１０に装着する前に行うが、突起３１ｂを第２部材３０のそれ以外の部分とは別体として形成しておき、案内溝３１ｃにその上端から第１部材２０の係合部２１ｃを係合させた後、案内部３１の上端に圧入したりネジ等で固定したりしてもよい。
【００８２】
略円筒形の係合案内部３３は、第１部材２０の直下にあり、ドリル５２が内部を貫通している。係合案内部３３の上壁（第１部材２０側の壁）には、ドリル５２と同心となる位置に、円形の透孔３５が形成されており、ドリル５２はその透孔３５を通って下方に延在している。ドリル５２の刃部５２ａの直径は、シャンク５２ｂの直径とほぼ同じか、それより小さいので、シャンク５２ｂだけでなく刃部５２ａも透孔３５を挿通可能である。ドリル５２の刃部５２ａの直径が、シャンク５２ｂの直径より大きい場合は、シャンク５２ｂのみが透孔３５を挿通可能となるように、係合案内部３３の位置やサイズを調整する必要がある。
【００８３】
係合案内部３３の透孔３５は、テーパー状であって、その下端にはエッジ３３ａが形成されている。エッジ３３ａの直径は、ドリル５２のシャンク５２ｂの直径よりわずかに大きくされており、シャンク５２ｂがエッジ３３ａに僅かに触れることによって、ドリル５２を軸心Ｘの方向に案内するようになっている。このように、ドリル５２は、上方にある基端部においてヘッド１１に支持され駆動されると同時に、下端に近い位置においてエッジ３３ａで係合・案内されるので、係合案内部３３のひいては第２部材３０の相対移動を安定させることができる。
【００８４】
係合案内部３３の円筒形の側壁には、給水部３４が設けられている。給水部３４には、図２に示すように、連結チューブ１５が接続可能であり、給水管１４を介して水を供給可能である。その結果、係合案内部３３の内部において、ドリル５２が患者の顎骨を穿孔する際にその箇所に水を供給することが可能である。
【００８５】
図２に示すように、ハンドピース１０のヘッド１１にも、給水部１３が設けられている。給水部１３には、連結チューブ１６が接続可能であり、第２部材３０の給水部３４と共通の給水管１４を介して、水を供給可能である。その結果、水をドリル５２の外部に放出することで、ドリル５２の埋設穴形成箇所に水を供給することが可能である。
【００８６】
第１部材２０の下面、言い換えれば、部材本体２１の貫通穴２１ａから露出している磁石２２の内面と、それに対向する第２部材３０の係合案内部３３の上面との間には、ドリル５２の外周を取り囲むように、バネ５１が装着されている。バネ５１は、第２部材３０の係合案内部３３を下方に付勢（押圧）する圧縮バネ（つるまきバネ）であり、係合案内部３３を常時、第１部材２０すなわちヘッド１１から引き離す作用をする。このため、ヘッド１１を押圧してバネ５１に外力を印加していない時は、図１に示すように、係合案内部３３と第１部材（またはヘッド１１）との距離は最大となっている。
【００８７】
この歯科用インプラント埋設穴形成補助装置１では、図１に示すように、第１部材２０の直下に、一側面を開口した略筒状のスペーサ４０が設けられている。スペーサ４０は、簡易にインプラント埋設穴の最大深度を調整するためのものである。スペーサ４０は、図７に示すように、略Ｃ字形の断面形状を持っているので、また、スペーサ４０の内径はバネ５１の直径よりも大きくされているので、歯科医師が水平に（ドリル５２に直交する方向に）押し込み、あるいは、引っ張ることで、ドリル５２をハンドピース１０から外すことなく、ドリル５２の外側に容易に装着あるいは離脱することができる。
【００８８】
スペーサ４０は、ここでは、磁性材料で形成されているので、磁石２２の磁力によって、磁石２２の下面に密着・保持されている。しかし、磁性材料で形成されていなくてもよい。その場合、スペーサ４０は第１部材２０に密着しないが、係合案内部３３の上面で保持されるので、それより下方に落下することはない。
【００８９】
インプラント埋設穴形成補助装置１により得られるインプラント埋設穴の最大深度は、第１部材２０の下面（スペーサ４０が接触している面）と第２部材３０の係合案内部３３の上面の間の距離と、ドリル５２の全長とで決定されるが、その最大深度が所望の最大深度よりも大きい場合がしばしばある。そのような場合には、所望の最大深度に最適な高さ（厚さ）を持つスペーサ４０をドリル５２にそれと同心となるように装着する（図1を参照）ことで、容易に所望の最大深度を実現することができる。さらに、高さ（厚さ）が段階的に異なるスペーサ４０を複数個用意しておけば、必要に応じて最適な高さ（厚さ）のスペーサ４０を交換しながら選択使用することで、種々の所望の最大深度に対応することが可能である。
【００９０】
次に、以上のような構成を持つ本発明の第１実施形態に係る歯科用インプラント埋設穴形成補助装置１の動作（使用状態）について説明する。
【００９１】
図８は、偏心型サージカルガイドを使用して、第１実施形態のインプラント埋設穴形成補助装置１によってインプラント埋設穴を形成するプロセスを示す。
【００９２】
まず、歯科医師は、ハンドピース１０を保持して、図８（ａ）に示すように、偏心型サージカルガイド（図示せず）のガイド部材１０１のガイド溝に、その上方から第２部材３０の案内部３１を係合させる。つまり、偏心型サージカルガイドの場合は、係合案内部３３ではなく、ヘッド１１から偏心した位置にある案内部３１を使用するのである。そして、ドリル５２を回転させながらインプラント埋設穴形成補助装置１を降下させていくが、その時、ガイド部材１０１のガイド溝によって当該装置１の位置と方向が確定され、その方向に案内されるので、ドリル５２による穿孔位置と穿孔方向が正確になる。
【００９３】
図８（ａ）は、回転しているドリル５２の先端の刃部５２ａが、患者の顎骨７２の表面の粘膜７１に形成された孔を通って、少しだけ顎骨７２に入り込んだ状態を示している。この状態では、第１部材２０と第２部材３０の相対位置は、図１の初期状態のままである。換言すれば、第１部材２０と第２部材３０の相対距離が最大の位置にある。
【００９４】
次に、歯科医師は、ドリル５２を回転させながら、ハンドピース１０のヘッド１１に下向きの押圧力を加え、少しずつ顎骨７２を穿孔していく。この時、図８（ｂ）に示すように、第２部材３０の係合案内部３３の下端は、埋設穴形成箇所にある粘膜７１（または顎骨７２）の表面に到達しており、したがって、第２部材３０はほぼその位置で停止している。また、ハンドピース１０とそれに装着された第１部材２０は、第２部材３０に対して下方に少し変位している。その結果、第１部材２０の下面とそれに対向する第２部材３０の係合案内部３３の上面との間の距離は、図８（ａ）の状態よりも短くなっている。歯科医師は、ドリル５２による穿孔作業中に、第２部材３０の案内部３１に設けられた目盛り３１ａを読み取ることによって、現在の穿孔深度を容易且つ確実に知ることができるので、穿孔深度を確認しながら的確に穿孔作業を行える。こうして、顎骨７２にインプラント埋設穴Ｈが形成され始める。
【００９５】
歯科医師は、ドリル５２を回転させながら、さらに、ハンドピース１０のヘッド１１に下向きの押圧力を加えて顎骨７２の穿孔を進めていくが、やがて、図８（ｃ）に示すように、ヘッド１１の下面に装着されたスペーサ４０の下端が、それに対向する第２部材３０の係合案内部３３の上面に当接する。この時、第１部材２０の下面とそれに対向する第２部材３０の係合案内部３３の上面との間の距離は、スペーサ４０の高さ（厚さ）に等しくなっている。これは、第１部材２０と第２部材３０の相対移動が、インプラント埋設穴Ｈの所望の最大深度に対応して設定された限界点を持っていることを意味する。
【００９６】
図８（ｃ）の状態になると、押圧力を加えても、ハンドピース１０はそれ以上の下降ができないので、埋設穴Ｈの最大深度は、スペーサ４０の高さ（厚さ）とドリル５２の全長とで規定される深度に等しくなる。したがって、顎骨７２の穿孔がそれ以上に進行することがなく、埋設穴Ｈの所望の最大穿度を越えて穿孔が進行するのを確実に防止することができる。また、歯科医師は、第２部材３０の目盛り３１ａを読み取ることによって、その時の深度が所望の最大深度であることを確認することができる。
【００９７】
以上の説明は、偏心型サージカルガイドを使用した場合であるが、第１実施形態のインプラント埋設穴形成補助装置１は同心型サージカルガイドも使用可能である。よって、次に、図９を参照しながら、同心型サージカルガイドを使用して、同装置１によってインプラント埋設穴を形成するプロセスについて説明する。
【００９８】
まず、歯科医師は、図９（ａ）に示すように、同心型サージカルガイド（図示せず）のガイド部材１０２のガイド溝に、その上方から第２部材３０の係合案内部３３を係合させる。つまり、同心型サージカルガイドの場合は、案内部３１ではなく、ヘッド１１の直下にある係合案内部３３を使用するのである。そして、ドリル５２を回転させながらインプラント埋設穴形成補助装置１を降下させていくが、その時、ガイド部材１０２のガイド溝によって当該装置１の位置と方向が確定され、その方向に案内されるので、ドリル５２による穿孔位置と穿孔方向が正確になる。この時、第２部材３０の連結部３２の下端は、ガイド部材１０２の上端に当接し、その位置で停止する。なお、係合案内部３３の側面には給水部３４が突出形成されているので、ガイド部材１０２のガイド溝には、給水部３４が上方から嵌入可能なスリットを設けておく必要がある。
【００９９】
図９（ａ）は、回転しているドリル５２の先端の刃部５２ａが、埋設穴形成箇所にある患者の粘膜７１に形成された孔を通って顎骨７２の表面に到達した状態を示している。この状態では、第１部材２０と第２部材３０の相対位置は、図１の初期状態のままである。換言すれば、第１部材２０と第２部材３０の相対距離が最大の位置にある。
【０１００】
次に、歯科医師は、ドリル５２を回転させながら、ハンドピース１０のヘッド１１に下向きの押圧力を加え、少しずつ顎骨７２を穿孔していく。この時、図９（ｂ）に示すように、第２部材３０の連結部３２の下端が、ガイド部材１０２の上端に当接し、その位置で停止している。また、ハンドピース１０とそれに装着された第１部材２０は、第２部材３０に対して下方に変位している。その結果、第１部材２０の下面とそれに対向する第２部材３０の係合案内部３３の上面との間の距離は、図９（ａ）の状態よりも短くなっている。歯科医師は、ドリル５２による穿孔作業中に、第２部材３０の案内部３１に設けられた目盛り３１ａを読み取ることによって、現在の穿孔深度を容易且つ確実に知ることができるので、穿孔深度を確認しながら的確に穿孔作業を行える。こうして、顎骨７２にインプラント埋設穴Ｈが形成され始める。
【０１０１】
歯科医師は、ドリル５２を回転させながら、さらに、ハンドピース１０のヘッド１１に下向きの押圧力を加えて顎骨７２の穿孔を進めていくが、やがて、図９（ｃ）に示すように、ヘッド１１の下面に装着されたスペーサ４０の下端が、それに対向する第２部材３０の係合案内部３３の上面に当接する。この時、第１部材２０の下面とそれに対向する第２部材３０の係合案内部３３の上面との間の距離は、スペーサ４０の高さ（厚さ）に等しくなっている。これは、第１部材２０と第２部材３０の相対移動が、インプラント埋設穴Ｈの所望の最大深度に対応して設定された限界点を持っていることを意味する。
【０１０２】
図９（ｃ）の状態になると、ハンドピース１０はそれ以上の下降ができなくなるので、埋設穴Ｈの最大深度は、スペーサ４０の高さ（厚さ）とドリル５２の全長とで規定される深度に等しくなる。したがって、顎骨７２の穿孔がそれ以上に進行することがなく、埋設穴Ｈの所望の最大深度を越えて穿孔が進行するのを確実に防止することができる。また、歯科医師は、第２部材３０の目盛り３１ａを読み取ることによって、その時の深度が所望の最大深度であることを確認することができる。
【０１０３】
本発明の第１実施形態に係る歯科用インプラント埋設穴形成補助装置１は、上述したような構成を有するので、第１部材２０をドリル５２またはハンドピース１０に装着すると、第２部材３０は、ハンドピース１０に装着されたドリル５２の軸心Ｘに沿って相対移動可能となる。また、ハンドピース１０に装着されたドリル５２で顎骨７２の埋設穴形成箇所にインプラント埋設Ｈを形成する際には、第２部材３０が前記埋設穴形成箇所の表面またはサージカルガイドのガイド部材１０２に当接し、第１部材２０がドリル５２の軸心Ｘに沿って相対移動するため、ドリル５２による作業が進むにつれて、第１部材２０と第２部材３０の間の距離が徐々に変化する。
【０１０４】
第１部材２０と第２部材３０の相対移動は、インプラント埋設穴Ｈの所望の最大深度に対応して設定された限界点を持っているので、インプラント埋設穴Ｈの形成時における第１部材２０と第２部材３０の相対移動が、前記限界点を越えて行われることはない。よって、ドリル５２により形成されるインプラント埋設穴Ｈの深度が、前記最大深度を超えることがない。つまり、前記最大深度を超えてインプラント埋設穴Ｈが形成されるという事態は確実に防止される。
【０１０５】
また、第１部材２０と第２部材３０の間に適当なスペーサ４０を介在させることで、第１部材２０と第２部材３０の相対移動の限界点を容易に調整できるので、所望の最大深度の調整も容易である。
【０１０６】
また、本実施形態の歯科用インプラント埋設穴形成補助装置１は、第１部材２０をドリル５２またはハンドピース１０に装着することで使用可能となるので、歯科医師が既に所有しているハンドピースに装着して使用することが可能である。
【０１０７】
さらに、インプラント埋設穴Ｈを形成する際には、第２部材３０を、ガイド部材１０２または前記埋設穴形成箇所の表面に当接させ、第１部材２０をドリル５２の軸心Ｘに沿って相対移動させればよい。また、第１部材２０と第２部材３０の相対移動には前記限界点が設けられているから、前記所望の最大深度を超えないように注意する必要もない。したがって、本実施形態の歯科用インプラント埋設穴形成補助装置１は、取り扱いも容易である。
【０１０８】
しかも、上述した構成を持つ第１部材２０と第２部材３０を含む簡単な構成であるだけでなく、特別に高価な材料や特別な製法を使用する必要もないから、低いコストで製造することができる。
【０１０９】
本実施形態で第２部材３０に設けられている偏心型サージカルガイド用の案内部３１は、本発明の他の実施形態にも適用可能である。
【０１１０】
第１部材２０と第２部材３０の材料は、特に限定されない。必要な剛性が得られるものであれば、アルミニウム、ステンレス等の任意の金属を使用できるし、十分な強度があれば、合成樹脂も使用可能である。この点は、以下の各実施形態についても同様である。
【０１１１】
本明細書では、説明の便宜のために、歯科用インプラント埋設穴形成補助装置１の構成を、その回転器具(例えばドリル５２)を上下方向に配置した状態として説明し、下顎の骨にインプラント埋設穴Ｈを形成すると仮定して説明している。しかし、本発明はこれに限定されるわけではない。上顎の骨にインプラント埋設穴を形成する場合では、ここにした説明と図面とは上下が反転して、ハンドピースが下位に位置し、ドリル等の回転器具が上位に位置することは言うまでもない。
【０１１２】
（第２実施形態）
図１０は、本発明の第２実施形態に係る歯科用インプラント埋設穴形成補助装置１Ａの全体構成を示す、図１と同様の図である。本実施形態も、上述した本発明の第１の観点による歯科用インプラント埋設穴形成補助装置に対応する。
【０１１３】
同図から分かるように、本第２実施形態に係るインプラント埋設穴形成補助装置１Ａの構成は、上記第１実施形態のインプラント埋設穴形成補助装置１において、ハンドピース１０のヘッド１１の直下に間隔をあけて設けられた係合案内部３３に代えて、係合部３７が設けられている点を除き、上述した第１実施形態の装置１Ａと同じ構成である。したがって、構成が同一の部分については、同一の構成要素には同一の符号を付してその説明を省略し、相違点のみについて説明する。
【０１１４】
上述した第１実施形態のインプラント埋設穴形成補助装置１は、偏心型サージカルガイドと同心型サージカルガイドのいずれも使用可能、つまり「偏心型・同心型のサージカルガイド兼用」として構成されていたが、本第２実施形態のインプラント埋設穴形成補助装置１Ａは、偏心型サージカルガイドのみが使用可能であり、「偏心型サージカルガイド専用」である。このため、上記第１実施形態におけるような係合案内部３３は不要であるから、上記第１実施形態における係合案内部３３の高さを小さくして、サージカルガイドのガイド部材に係合できないように形成した係合部３７を設けている。
【０１１５】
上述した第１実施形態の構成が複雑な場合や、偏心型サージカルガイドのみを使用することが予め分かっている場合には、本第２実施形態のような、簡略化した構成とすることもできる。
【０１１６】
本第２実施形態では、偏心型サージカルガイドのみが使用可能である点を除き、上述した第１実施形態と同じ効果が得られることは明らかである。
【０１１７】
（第３実施形態）
図１１は、本発明の第３実施形態に係る歯科用インプラント埋設穴形成補助装置１Ｂの全体構成を示す。本実施形態は、上述した本発明の第２の観点による歯科用インプラント埋設穴形成補助装置に対応する。
【０１１８】
本実施形態に係るインプラント埋設穴形成補助装置１Ｂは、上記第１実施形態とは異なり、第１部材１２０が、装着部材６０を用いて、ハンドピース１０のヘッド１１に装着（固定）されている。また、同心型サージカルガイド専用とされている。
【０１１９】
本第３実施形態に係るインプラント埋設穴形成補助装置１Ｂでは、図１１と図１３に明瞭に示すように、第１部材１２０と第２部材１３０がいずれも両端を開口した円筒形であり、第１部材１２０が第２部材１３０の内部に挿入されている。第１部材１２０と第２部材１３０は、いずれもドリル５２の軸心Ｘと同心である。第１部材１２０は、第２部材１３０の内部で上下方向に相対移動可能である。第１部材１２０の全長は、第２部材１３０の全長よりも小さい。
【０１２０】
第１部材１２０の下端の外周面には、図１３に示すように、環状突起１２２が形成されており、第２部材１３０の上端の内周面には、環状突起１３２が形成されている。第１部材１２０の環状突起１２２と第２部材１３０の環状突起１３２が係合することで、第２部材１３０が第１部材１２０から脱落しないようになっている。
【０１２１】
装着部材６０は、図１２に明瞭に示すように、上下に係合部６１と６２がそれぞれ配置され、それらを連結部６３で連結した構成を持っており、全体が横に倒したＵ字形となっている。上位の係合部６１は、略円弧状をしており、円環状の磁石６７が嵌合される磁石嵌合部６４を形成している。磁石６７の中心には、ハンドピース１０のヘッド１１の突出部１１ａが嵌合可能な透孔６７ａを有している。下位の係合部６２も、略円弧状をしており、円筒状の第１部材１２０が嵌合・固定される第１部材嵌合部６５を形成している。
【０１２２】
本第３実施形態に係るインプラント埋設穴形成補助装置１Ｂをハンドピース１０のヘッド１１に装着する場合は、図１１に示すように、装着部材６０の上下にある係合部６１と６２をヘッド１１の上下面にそれぞれ配置し、上位にある係合部６１をヘッド１１の突出部１１ａに係合させ、突出部１１ａと係合部６１の磁石嵌合部６４との間に磁石６７を嵌め込めばよい。磁石６７の磁力（磁気吸引力）により、装着部材６０はその状態でヘッド１１に保持・固定される。
【０１２３】
他方、第１部材１２０の一端（下端）を第２部材１３０の内部に挿入して、図１３のように互いに係合させてから、第１部材１２０の上端を、装着部材６０の下位にある係合部６２の第１部材嵌合部６５に押圧しながら嵌合させる。つまり、第１部材１２０の上端を第１部材嵌合部６５に圧入するのである。こうして、第１部材１２０の上端が装着部材６０に接続される。
【０１２４】
本第３実施形態に係るインプラント埋設穴形成補助装置１Ｂは、以上のようにして、ハンドピース１０のヘッド１１に装着され、図１１のような構成となる。互いに係合された第１部材１２０と第２部材１３０は、ドリル５２の軸心Ｘと同心状にヘッド１１の直下に位置する。
【０１２５】
ドリル５２は、上述したようにして第１部材１２０と第２部材１３０を装着部材６０に接続した後に、第２部材１３０の下方から、第２部材１３０と第１部材１２０の内部を通ってヘッド１１の内部に挿入・係止される。
【０１２６】
次に、以上のような構成を持つ第３実施形態に係るインプラント埋設穴形成補助装置１Ｂの動作（使用状態）について、図１４を参照しながら説明する。ここでは、同心型サージカルガイドが使用される。
【０１２７】
まず、歯科医師は、図１４（ａ）に示すように、同心型サージカルガイド（図示せず）のガイド部材１０２のガイド孔に、その上方から円筒形の第２部材１３０を係合させる。つまり、そして、ドリル５２を回転させながらインプラント埋設穴形成補助装置１Ｂを降下させていくが、その時、ガイド部材１０２のガイド孔によって、第２部材１３０ひいては当該装置１Ｂの位置と方向が確定され、その方向に案内されるので、ドリル５２による穿孔位置と穿孔方向が正確になる。この時、第２部材１３０の下端は、埋設穴形成箇所において粘膜７１に形成された孔を通って顎骨７２の表面に当接し、その位置で停止する。
【０１２８】
本実施形態では、上述した第１実施形態のような給水部３４が第２部材１３０に突出形成されていないので、ガイド部材１０２のガイド孔にスリットを形成する（ガイド溝とする）ことは不要である。
【０１２９】
図１４（ａ）の状態では、回転しているドリル５２の先端の刃部５２ａが、患者の顎骨７２の表面に到達している。この状態では、ハンドピース１０（第１部材１２０）は、第２部材１３０に対してまったく変位していないか、少し変位しているだけである。例えば、第１部座１２０の環状突起１２２と第２部座１３０の環状突起１３２とが互いに係合した位置（第１部材２０と第２部材３０の相対距離が最大の位置）にあるか、それより少し変位した位置にある。
【０１３０】
次に、歯科医師は、ドリル５２を回転させながら、ハンドピース１０のヘッド１１に下向きの押圧力を加え、少しずつ顎骨７２を穿孔していく。この時、図１４（ｂ）に示すように、第２部材１３０の下端は、埋設穴形成箇所の表面に当接してその位置で停止しているのに対し、ハンドピース１０とそれに固定された第１部材１２０は、第２部材１３０に対して下方に相対移動する。その結果、第１部材１２０の上端と第２部材１３０の下端との間の距離は、図１４（ａ）の状態よりもかなり短くなっている。歯科医師は、穿孔作業中に、第１部材１２０の外面が見えるので、そこに上記第１実施形態のインプラント埋設穴形成補助装置１の目盛り３１と同様の目盛りを設けておけば、それを読み取ることによって、現在の穿孔深度を容易且つ確実に知ることができる。このため、上記第１実施形態と同様に、穿孔深度を確認しながら的確に穿孔作業を行える。その結果、顎骨７２にインプラント埋設穴Ｈが形成され始める。
【０１３１】
歯科医師は、ドリル５２を回転させながら、さらに、ハンドピース１０のヘッド１１に下向きの押圧力を加えて顎骨７２の穿孔を進めていくが、やがて、図１４（ｃ）に示すように、ヘッド１１の下面に位置する装着部材６０の係合部６２の下端が、それに対向する第２部材１３０の上端に当接する。この時、係合部６２の下端とそれに対向する第２部材１３０の上端との間の距離はゼロとなる。これは、第１部材１２０と第２部材１３０の相対移動が、インプラント埋設穴Ｈの所望の最大深度に対応して設定された限界点を持っていることを意味する。
【０１３２】
なお、上述した第１実施形態で使用したスペーサ４０と同様のスペーサを、係合部６２と第２部材１３０の間において第１部材１２０の露出部分に挟み込んでおけば、係合部６２の下端とそれに対向する第２部材１３０の上端との間の距離は、スペーサの高さ（厚さ）に等しくなる。したがって、第２部材１３０の第１部材１２０に対する移動距離（つまり最大深度）を、第２部材１３０の第１部材１２０を交換することなく、容易に減らすことができる。
【０１３３】
第１部材１２０の全長が第２部材１３０の全長よりも小さいことから、図１４（ｃ）の状態になると、ハンドピース１０はそれ以上の変位ができなくなるので、埋設穴Ｈの最大深度は、第２部材１３０の全長（高さ）とドリル５２の全長とで規定される深度に等しくなる。したがって、顎骨７２の穿孔がそれ以上に進行することがなく、埋設穴Ｈの最大深度を越えて穿孔が進行するのを確実に防止することができる。また、第２部材１３０の外面に上記第１実施形態の目盛り３１ａと同様の目盛りが設けてあれば、歯科医師は、これを読み取ることによって、その時の深度が所望の最大深度であることを確認することができる。また、歯科医師は、その目盛りを読み取ることによって、その時の深度が所望の最大深度であることを確認することができる。
【０１３４】
以上述べたように、本発明の第３実施形態に係る歯科用インプラント埋設穴形成補助装置１Ｂでは、回転器具としてのドリル５２が装着されるハンドピース１０に装着部材６０を用いて係止可能な構成を持つ第１部材１２０と、ハンドピース１０に装着されたドリル５２の軸心Ｘに沿って相対移動できるように、第１部材１２０に係合された第２部材１３０を備えている。第１部材１２０は、ドリル５２の軸心Ｘと同心に配置され、第２部材１３０は、第１部材１２０の外側においてドリル５２の軸心Ｘと同心に配置されている。ドリル５２により顎骨７２の埋設穴形成箇所にインプラント埋設穴Ｈを形成する際には、第２部材１３０が前記埋設穴形成箇所の表面に当接すると共に、第１部材１２０がドリル５２の軸心Ｘに沿って相対移動するように構成されている。第１部材１２０と第２部材１３０の相対移動は、インプラント埋設穴Ｈの所望の最大深度に対応して設定された限界点を持っている。
【０１３５】
また、ハンドピース１０に装着されたドリル５２で顎骨７２の埋設穴形成箇所にインプラント埋設穴Ｈを形成する際には、外側にある第２部材１３０がサージカルガイドのガイド部材１０２に係合される。そして、第２部材１３０が埋設穴形成箇所の表面に当接し、第１部材１２０がドリル５２の軸心Ｘに沿って相対移動するため、ドリルによる穿孔作業が進むにつれて、第１部材１２０と第２部材１３０の間の距離が徐々に変化する。
【０１３６】
第１部材１２０と第２部材１３０の相対移動は、インプラント埋設穴Ｈの所望の最大深度に対応して設定された限界点を持っているので、インプラント埋設穴Ｈの形成時における第１部材１２０と第２部材１３０の相対移動が、前記限界点を越えて行われることはない。よって、ドリル５２により形成されるインプラント埋設穴Ｈの深度が、前記最大深度を超えることがない。つまり、前記最大深度を超えてインプラント埋設穴Ｈが形成されるという事態は確実に防止される。
【０１３７】
また、第２部材１３０とハンドピース１０の間に適当なスペーサを介在させたり、第１部材１２０及び第２部材１３０の少なくとも一方についてドリル５２の軸心Ｘに沿った長さを変えたりすることで、第１部材１２０と第２部材１３０の相対移動の限界点を容易に調整できるので、所望の最大深度の調整も容易である。
【０１３８】
また、このインプラント埋設穴形成補助装置１Ｂは、第１部材１２０をドリル５２またはハンドピース１０に装着することで使用可能となるので、歯科医師が既に所有しているハンドピースに装着して使用することが可能である。
【０１３９】
さらに、インプラント埋設穴Ｈを形成する際には、第２部材１３０を埋設穴形成箇所の表面に当接させ、第１部材１２０をドリルの軸心Ｘに沿って相対移動させればよい。また、第１部材１２０と第２部材１３０の相対移動には前記限界点が設けられているから、所望の最大深度を超えないように注意する必要もない。したがって、このインプラント埋設穴形成補助装置１Ｂは、取り扱いも容易である。
【０１４０】
しかも、上述した構成を持つ第１部材１２０と第２部材１３０を含む簡単な構成であるだけでなく、特別に高価な材料や特別な製法を使用する必要もないから、低いコストで製造することができる。
【０１４１】
なお、本第３実施形態に係る歯科用インプラント埋設穴形成補助装置１Ｂは、「同心型サージカルガイド専用」であるが、「偏心型・同心型のサージカルガイド兼用」とすることも可能である。その場合は、図１１に破線で示されているように、連結部６３を下方に延長して、偏心型サージカルガイドのガイド溝に係合可能な形状を持つ係合案内部６１を設ければよい。あるいは、その係合案内部６１を装着部材６０とは別個に形成して、それを連結部６３の外側に係止または嵌合するようにしてもよい。こうすることで、インプラント埋設穴形成補助装置１Ｂを「偏心型・同心型のサージカルガイド兼用」にすることができる。
【０１４２】
また、本第３実施形態では、装着部材６０に第１部材１２０を接合するようにしているが、両者を一体化してもよい。つまり、装着部材６０の第１部材嵌合部６５に、第１部材１２０の上端を予め固定しておいてもよいし、装着部材６０と第１部材１２０を別部材とせずに、第１部材１２０と装着部材６０を一体化した構成としてもよい。ハンドピース１０に第１部材１２０を装着できるものであれば、装着部材６０はこれら以外の構成としてもよい。
【０１４３】
本実施形態で使用された装着部材６０は、本発明の他の実施形態にも適用可能である。
【０１４４】
（第４実施形態）
本発明の第４実施形態に係る歯科用インプラント埋設穴形成補助装置１Ｃの全体構成を図１５に示す。本実施形態も、上述した本発明の第２の観点による歯科用インプラント埋設穴形成補助装置に対応する。本実施形態も同心型サージカルガイド専用である。
【０１４５】
図１５から分かるように、本実施形態に係る歯科用インプラント埋設穴形成補助装置１Ｃは、上記第３実施形態で使用された装着部材６０が省略されている。また、第１部材２２０それ自体が磁化されており、その磁力（磁気吸引力）で第１部材２２０が、磁性体よりなるドリル５２に保持されるようになっている。したがって、第１部材２２０は、歯科医師が手動で動かすことにより、ドリル５２に沿って上下に移動可能であり、ドリル５２の軸線Ｘ上で第１部材２２０を固定する位置は、必要に応じて変更可能となっている。このように、本実施形態では、第１部材２２０が固定される対象が、ハンドピース１０のヘッド１１ではなく、ドリル５２とされている。この点が上述した第１〜第３実施形態とは異なっている。
【０１４６】
第１部材２２０と第２部材２３０は、いずれも円筒形で、図１５のように互いに係合させてから、第１部材２２０を上位におき、第２部材２３０を下位において、ドリル５２の外側に取り付けられている。
【０１４７】
上述した第３実施形態と同様に、第１部材２２０の下端外面には環状突起２２２が形成されており、第２部材２３０の上端内面には、環状突起２３２が形成されている。第１部材２２０の環状突起２２２と第２部材２３０の環状突起２３２が係合することで、第２部材２３０の第１部材２２０からの脱落が防止されるようになっている。
【０１４８】
以上のような構成を持つ本第４実施形態に係るインプラント埋設穴形成補助装置１Ｃの動作（使用状態）は、上述した第３実施形態とほぼ同じである。すなわち、図１５の状態で穿孔作業を開始すると、磁力によりヘッド１１が第１部材２２０から離れた状態に保持されるため、ヘッド１１の下降に伴って、第１部材２２０も第２部材２３０の内部を通って下降する。第１部材２２０の全長が第２部材２３０の全長よりも小さいことから、最終的には、ヘッド１１の下面が第２部材２３０の上端に当接し、ヘッド１１のそれ以降の下降が禁止される（図１４（ｃ）を参照）。その結果、埋設穴Ｈの最大深度が、第２部材２３０の全長（高さ）とドリル５２の全長とで規定される深度に等しくなる。したがって、顎骨７２の穿孔がそれ以上に進行することがなく、埋設穴Ｈの最大深度を越えて穿孔が進行するのを確実に防止することができる。
【０１４９】
また、第２部材２３０とハンドピース１０の間に適当なスペーサを介在させたり、第１部材２２０及び第２部材２３０の少なくとも一方についてドリル５２の軸心Ｘに沿った長さを変えたりすることで、第１部材２２０と第２部材２３０の相対移動の限界点を容易に調整できるので、所望の最大深度の調整も容易である。
【０１５０】
さらに、本実施形態の歯科用インプラント埋設穴形成補助装置１は、歯科医師が既に所有しているハンドピースに装着して使用できるだけでなく、取り扱いも容易であり、低いコストで製造できる点は、上述した第３実施形態と同様である。
【０１５１】
（第５実施形態）
図１６〜図１８は、本発明の第５実施形態に係る歯科用インプラント埋設穴形成補助装置１Ｄを示す。本実施形態も、上述した本発明の第２の観点による歯科用インプラント埋設穴形成補助装置に対応する。
【０１５２】
本実施形態に係るインプラント埋設穴形成補助装置１Ｄは、第１部材３２０を保持・固定するために、第１部材３２０に埋設された磁石３２２の磁力を利用する。第１部材３２０は、磁石３２２の磁力によって、ドリル５２ではなく、ハンドピース１０のヘッド１１の下面に固定されている。本実施形態も同心型サージカルガイド専用である。
【０１５３】
本実施形態に係るインプラント埋設穴形成補助装置１Ｄでは、図１６と図１７に明瞭に示すように、第１部材３２０と第２部材３３０はいずれも、両端を開口した略円筒形であって、第１部材３２０が第２部材３３０の内部にそれと同心となるように挿入されている。第１部材３２０は、ドリル５２の軸心Ｘに沿って、第２部材３３０の内部で上下方向に移動可能である。
【０１５４】
本実施形態では、上述した第３及び第４実施形態とは異なり、第１部材３２０の全長が第２部材３３０の全長よりも大きくされている。このため、第１部材３２０と第２部材３３０の相対移動の限界点は、第１部材３２０によって規定される。
【０１５５】
第１部材３２０の上端部の内側には、円筒形とされた磁石３２２が埋設されている。磁石３２２の上端は、第１部材３２０の上端面に露出していて、ヘッド１１の下面に磁石３２２が吸着しやすくなっている。第１部材３２０の下端付近には、円筒形の給水部３２３が第１部材３２０の長軸にほぼ直交する方向（図１６ではほぼ水平方向）に突出形成されている。
【０１５６】
第２部材３３０の上端部には、円環状の鍔部３３２が形成されている。鍔部３３２は、第２部材３３０を同心型サージカルガイドのガイド部材１０２のガイド孔に係合させながら移動させた時に、鍔部３３２がガイド部材１０２の入口端に当接し、第２部材３３０のそれ以上の移動を防止する作用をする。第２部材３３０の側壁には、第２部材３３０の長軸方向に延在するスリット３３３が形成されている。スリット３３３は、第２部材３３０の側壁の上端より少し下位の箇所からその下端まで達しており、第２部材３３０の下端の円形開口と連通している。
【０１５７】
第１部材３２０をその上端から第２部材３３０の内部に挿入した時、図１６に示すように、第１部材３２０の給水部３２３がスリット３３３に挿通され、給水部３２３の先端が第２部材３３０から突出する。この時、スリット３３３の端縁３３４に給水部３２３が当接するので、第２部材３３０が自重によって第１部材３２０から脱落するのを防止することができると共に、第１部材３２０の内面がドリル５２と接触しても、ドリル５２の回転に伴って第１部材３２０が回転するのを防止することもできる。また、給水部３２３を介して、外部からドリル５２の刃部５２ａに給水することが可能である。
【０１５８】
本第５実施形態に係るインプラント埋設穴形成補助装置１Ｄでは、第１部材３２０は、その先端が、磁石３３２の磁力(磁気吸引力)によってヘッド１１の下面に密着・固定されているだけであるから、磁力を越える力を加えれば、第１部材３２０をヘッド１１から引き離し、ドリル５２に沿って下方に移動することが可能である。必要に応じてこのようにして第１部材３２０を移動させることで、ドリル５２の基端部が見えるようになるので、図１５の第４実施形態と同様に、歯科医師は、ドリル５２の基端部に表示された記号を読み取り、装着しているドリルの種類等を確認することができる。
【０１５９】
また、図１６に示すように、第１部材３２０の全長が第２部材３３０の全長よりも大きくされているため、ドリル５２による穿孔の最大深度の制限は、第２部材３３０ではなく、第１部材３２０によって行われる。しかし、第１部材３２０の全長を第２部材３３０の全長よりも小さくすることで、ドリル５２の最大深度の制限を、上述した第３〜第４実施形態と同様に、第２部材３３０によって行われるようにしてもよい。
【０１６０】
ドリル５２による穿孔の最大深度の調整は、全長の異なる第１部材３２０を複数個用意しておき、それらの中から希望するものを選択して使用することで行う。しかし、ハンドピース１０のヘッド１１と第２部材３３０の間の領域において、第１部材３２０の外側に、上述した第１実施形態で使用したのと同様のスペーサを装着してもよい。そうすると、ヘッド１１の下方への移動距離は、そのスペーサによってさらに制限（縮小）されるので、第１部材３２０の全長を変えることなく、最大深度を容易に調整することができる。
【０１６１】
このように、本第５実施形態の歯科用インプラント埋設穴形成補助装置１Ｄは、上述した第３実施形態と同じ効果がある。
【０１６２】
（第６実施形態）
図１９は、本発明の第６実施形態に係る歯科用インプラント埋設穴形成補助装置１Ｅを示す。本実施形態は、上述した本発明の第３の観点による歯科用インプラント埋設穴形成補助装置に対応する。
【０１６３】
本実施形態に係るインプラント埋設穴形成補助装置１Ｅは、上述した第５実施形態と同様に、第１部材４２０を保持・固定するために、第１部材４２０の上端前面に装着された磁石４２２の磁力を利用する。第１部材４２０は、磁石４２２の磁力によって、ドリル５２ではなく、ハンドピース１０のヘッド１１の下面に固定されている。本実施形態も同心型サージカルガイド専用である。
【０１６４】
本実施形態に係るインプラント埋設穴形成補助装置１Ｅでは、第１部材４２０と第２部材４３０はいずれも、両端を開口した円筒形であって、第１部材４２０が第２部材４３０の内部にそれと同心となるように挿入されている。第２部材４３０は、第１部材４２０の外部でその長軸に沿って上下方向に移動可能である。本実施形態では、第１部材４２０の全長が第２部材４３０の全長とほぼ同じとされている。
【０１６５】
第１部材４２０の上端部には、円環状とされた磁石４２２が固着されている。磁石４２２の外径と内径は、第１部材４２０の外径と内径にそれぞれ等しいので、磁石４２２は、第１部材４２０の上端面の全体を覆っている。こうすることで、ヘッド１１の下面に密着する磁石４２２の面積が大きくなるので、磁石４２２はヘッド１１の下面に吸着されやすいと共に、ヘッド１１に強く固定される。
【０１６６】
第２部材４３０には、その上端部の近傍において、その側壁を貫通するネジ孔が形成されており、そのネジ孔に止めネジ４３２がねじ込まれている。止めネジ４３２を締めることにより、止めネジ４３２の先端が第１部材４２０の外面に係止するので、第２部材４３０を第１部材４２０の所望位置に確実に固定することができる。逆に、止めネジ４３２を緩めることにより、止めネジ４３２の先端が第１部材４２０の外面から外れるので、第２部材４３０を第１部材４２０に対して相対移動することができる。
【０１６７】
第１部材４２０は、その先端が、磁石４２２の磁力(磁気吸引力)によってヘッド１１の下面に密着・固定されているだけであるから、磁力を越える力を加えれば、第１部材４２０をヘッド１１から引き離し、ドリル５２に沿って下方に移動することが可能である。必要に応じてこのようにして第１部材４２０を移動させることで、ドリル５２の基端部が見えるようになるので、歯科医師は、ドリル５２の基端部に表示された記号を読み取り、装着しているドリルの種類等を確認することができる。
【０１６８】
図１９に示すように、第１部材４２０の全長と第２部材４３０の全長は、ほぼ同一とされており、第１部材４２０よりも第２部材４３０が下位にあるように固定されているため、ドリル５２による穿孔の最大深度の制限は、第２部材４３０によって行われる。埋設穴Ｈを穿孔するときは、第２部材４３０が、同心型サージカルガイドのガイド部材１０２のガイド孔に嵌入され、それによって案内されながら下方に移動する。図１９に示すように、第２部材４３０の下端が第１部材４２０よりも下位にあるので、埋設穴形成箇所すなわち顎骨７２の粘膜７１の表面には、第２部材４３０の下端が当接するので、最大深度は、第１部材４２０と第２部材４３０の相対位置とドリル５２の全長によって決定される。
【０１６９】
最大深度の調整は、止めネジ４３２を使って第１部材４２０に対する第２部材４３０の相対位置を変えることで可能であるから、第１部材４２０と第２部材を交換することなく、最大深度を容易に調整することができる。
【０１７０】
穿孔作業時には、第２部材４３０がガイド部材１０２のガイド孔に嵌入されるので、締め付けた時の止めネジ４３２は、第２部材４３０の表面から突出しないようにする必要がある。
【０１７１】
本発明の第６実施形態に係るインプラント埋設穴形成補助装置１Ｅは、上述したように、ハンドピース１０に装着可能な構成を持つ第１部材４２０と、ハンドピース１０に装着されたドリル５２の軸心Ｘに沿って相対移動できるように、第１部材４２０に係合された第２部材４３０とを備えている。第１部材４２０は、軸心Ｘと同心に配置されていると共に、第２部材４３０は第１部材４２０の外側において軸心Ｘと同心に配置され、第１部材４２０及び第２部材４３０は所望の相対位置に固定可能である。
【０１７２】
ドリル５２により顎骨７２の埋設穴形成箇所にインプラント埋設穴Ｈを形成する際には、第１部材４２０及び第２部材４３０が予め所望の相対位置で固定され、その後、第２部材４３０がサージカルガイドのガイド部材１０２に係合されると共に、第２部材４３０がガイド部材１０２または埋設穴形成箇所の表面に直接的または間接的に当接することで、軸心Ｘに沿った第１部材４２０の移動が停止する。これは、第１部材４２０と第２部材４３０の相対位置が、埋設穴Ｈの所望の最大深度に対応して設定された限界点を決定することを意味する。
【０１７３】
第１部材４２０と第２部材４３０の相対位置が、埋設穴Ｈの所望の最大深度に対応して設定された限界点を決定するので、所望の最大深度となるように第１部材４２０と第２部材４３０の相対位置を調整することにより、埋設穴Ｈの形成時に前記限界点を越えることが防止される。よって、ドリル５２により形成される埋設穴Ｈの深度が、前記最大深度を超えることがない。つまり、前記最大深度を超えて埋設穴Ｈが形成されるという事態は確実に防止される。
【０１７４】
また、止めネジ４３２を使えば、第１部材４２０に対する第２部材４３０の相対位置を容易に変更できるので、所望の最大深度の調整も容易である。また、第１部材４２０とハンドピース１０の間に適当なスペーサを介在させたり、ガイド部材または埋設穴形成箇所とそれに近接する第１部材４２０または第２部材４３０との間に、適当なスペーサを介在させたり、第１部材４２０及び第２部材４３０の少なくとも一方について軸心Ｘに沿った長さを変えたりしても、所望の最大深度の調整が可能である。
【０１７５】
また、本実施形態のインプラント埋設穴形成補助装置１Ｅは、第１部材４２０をハンドピース１０に装着することで使用可能となるので、歯科医師が既に所有しているハンドピースに装着して使用することが可能である。
【０１７６】
さらに、インプラント埋設穴Ｈを形成する際には、第２部材４３０をガイド部材１０２または埋設穴形成箇所の表面に直接的または間接的に当接させ、予め相対位置に固定された第１部材４２０及び第２部材４３０を軸心Ｘに沿って相対移動させればよい。また、第１部材４２０と第２部材４３０の相対位置には前記限界点が設けられているから、所望の最大深度を超えないように注意する必要もない。したがって、この装置１Ｅは、取り扱いも容易である。
【０１７７】
しかも、上述した構成を持つ第１部材４２０と第２部材４３０を含む簡単な構成であるだけでなく、特別に高価な材料や特別な製法を使用する必要もないから、低いコストで製造することができる。
【０１７８】
（第７実施形態）
図２０は、本発明の第７実施形態に係る歯科用インプラント埋設穴形成補助装置１Ｆを示す。本実施形態は、上述した本発明の第２の観点による歯科用インプラント埋設穴形成補助装置に対応する。
【０１７９】
本実施形態に係るインプラント埋設穴形成補助装置１Ｆは、第１部材５２０を保持・固定するために、Ｏリング５２３を使用し、磁石の磁力（磁気吸引力）を利用しない。この点で、第１〜第６上述した実施形態とは異なっている。第１部材５２０は、Ｏリング５２３とドリル５２のシャンク５２ｂとの間の摩擦力によって、ドリル５２に固定されている。第２部材５３０と第１部材５２０の係合も、Ｏリング５３３と第１部材５２０との間の摩擦力によって行われている。本実施形態も同心型サージカルガイド専用である。
【０１８０】
本実施形態に係るインプラント埋設穴形成補助装置１Ｆでは、第１部材５２０と第２部材５３０が、いずれも、両端を開口した円筒形であって、第１部材５２０が第２部材５３０の内部にそれと同心となるように挿入されている。第１部材５２０は、ドリル５２の軸心Ｘに沿って上下方向に移動可能である。第２部材５３０は、第１部材５２０の外部で軸心Ｘに沿って上下方向に移動可能である。本実施形態では、上述した第４実施形態（図１５参照）と同様に、第１部材５２０の全長が第２部材５３０の全長よりも短くされている。
【０１８１】
第１部材５２０の上端部の近傍には、図２１に示すように、両側壁にスリット５２２が形成されており、それらスリット５２２に嵌合されたＯリング５２３の内端が、透孔５２１の内部に突出している。このため、図２０に示すように、透孔５２１に挿通されたドリル５２のシャンク５２ｂに対して、Ｏリング５２３の内端が押圧・接触せしめられる。このため、第１部材５２０は、Ｏリング５２３とシャンク５２ｂとの間の摩擦力によって、所望位置でシャンク５２ｂに保持・固定される。図２０では、第１部材５２０は、その上端面がヘッド１１の下面に接する位置に固定されている。第１部材５２０は、シャンク５２ｂに固定されているので、ドリル５２と共に回転する。
【０１８２】
第２部材５３０の内周面には、図２２に示すように、第１部材５２０の外周面と接触する位置に円環状の凹溝５３２が形成されており、その凹溝５３２に嵌合されたＯリング５３３の内端が、透孔５３１の内部に突出している。このため、透孔５３１に挿通された第１部材５２０の外周面に対して、Ｏリング５３３の内端が押圧・接触せしめられる。このため、第２部材５３０は、Ｏリング５３３と第１部材５２０との間の摩擦力によって、所望位置で第１部材５２０に保持・固定される。第２部材５３０は、こうして第１部材５２０に固定されているので、第２部材５３０もドリル５２と共に回転する。
【０１８３】
歯科医師が摩擦力を越える力を加えれば、第１部材５２０をドリル５２に沿って下方に移動して、ヘッド１１から引き離すことが可能である。必要に応じてこのようにして第１部材５２０を移動させることで、ドリル５２の基端部が見えるようになるので、歯科医師は、ドリル５２の基端部に表示された記号を読み取り、装着しているドリルの種類等を確認することができる。
【０１８４】
図２０に示すように、第１部材５２０の全長が第２部材５３０の全長よりも短くされているため、ドリル５２による穿孔の最大深度の制限は、第２部材５３０によって行われる。埋設穴Ｈを穿孔するときは、第２部材５３０が、同心型サージカルガイドのガイド部材１０２のガイド孔に嵌入され、それによって案内されながら下方に移動する。第２部材５３０の下端が、埋設穴形成箇所の粘膜７１（または顎骨７２）の表面に当接するので、最大深度は、第２部材５３０の全長とドリル５２の全長によって決定される。
【０１８５】
本実施形態では、ドリル５２の差し替えなしに第２部材５３０の入れ替えが容易であるから、最大深度の調整は、全長の異なる第２部材５３０を複数個用意しておき、それらの中から希望するものを選択して第１部材５２０の外側に係合させればよい。ハンドピース１０のヘッド１１の下方への移動距離は、第２部材５３０によって調整されるので、第１部材５２０を換えることなく、最大深度を容易に調整することができる。
【０１８６】
しかし、第１部材５２０を下方にずらして隙間を作ってから、ヘッド１１と第１部材５２０の間で第１部材５２０の外側に上述した第１実施形態で使用したのと同様のスペーサを挿入するようにしてもよい。この場合、高さ（厚さ）の異なるスペーサを複数個用意しておき、それらの中から希望するものを選択して使用すれば、第１部材５２０だけでなく、第２部材５３０も入れ替えることなく、最大深度を調整することが可能となる。
【０１８７】
（第８実施形態）
図２３〜図２５は、本発明の第８実施形態に係る歯科用インプラント埋設穴形成補助装置１Ｇを示す。本実施形態は、上述した本発明の第３の観点による歯科用インプラント埋設穴形成補助装置に対応する。
【０１８８】
本実施形態に係るインプラント埋設穴形成補助装置１Ｇは、上述した第５実施形態と同様に、第１部材６２０を保持・固定するために、第１部材６２０の上端に装着された鍔状の磁石６２２の磁力を利用する。第１部材６２０は、磁石６２２の磁力によって、ハンドピース１０のヘッド１１の下面に固定される。第２部材６２０は、第１部材６２０の外側に係合される。本実施形態も同心型サージカルガイド専用である。
【０１８９】
本実施形態に係るインプラント埋設穴形成補助装置１Ｇでは、第１部材６２０と第２部材６３０はいずれも、両端を開口した略円筒形であって、第１部材６２０が第２部材６３０の内部にそれと同心となるように挿入されている。
【０１９０】
第１部材６２０の上端部には、図２４に示すように、鍔状とされた磁石６２２が装着されている。磁石６２２の上面は、第１部材６２０の上端面と同一平面内にあって露出しており、ヘッド１１の下面に磁石６２２が吸着しやすくなっている。第１部材６２０の内部には、透孔６２１が形成されている。第１部材６２０の外周面には、磁石６２２が固定されている箇所を除いて、その全長にわたって雄ネジ６２３が形成されている。
【０１９１】
第２部材６３０の内部には、図２５に示すように、透孔６３１が形成されている。第２部材６３０の内周面には、第１部材６２０の外側面に形成された雄ネジ６２３と螺合する雌ネジ６３２が形成されている。この雌ネジ６３２を第１部材６２０の雄ネジ６２３に螺合させると、両者は図２３のように一体となる。
【０１９２】
第２部材６３の下端付近には、円筒形の給水部６３が第２材６３０の長軸に直交する方向（図２３では水平方向）に突出形成されている。第２部材６３の給水部６３の内端付近の領域では、雌ネジ６３２が選択的に切除されていて、そこに切欠部６３６が形成されている。第１部材６２０に対して第２部材６３０を回転させて両者を係合・一体化すると、図２３に示すように、第１部材６２０と第２部材６３０の結合体の内部下端に、切欠部６３６によって空隙が形成される。この空隙は、給水部６３３内の給水路６３４と連通する給水路６３５として機能する。このため、給水部６３３まで送られてきた水は、その内部の給水路６３４と給水路６３５を通って、下方に落下することになる。
【０１９３】
図２３に示すように、第１部材６２０の全長と第２部材６３０の全長は、ほぼ同じとされているが、第１部材６２０に対して第２部材６３０を回転させて下降させることにより、図２３中に波線で示した位置で第２部材６３０を移動させると、それだけ第２部材６３０が下方に突出する。このため、第１部材６２０に対する第２部材６３０の突出長さは、容易に調整可能である。
【０１９４】
ドリル５２により顎骨７２の埋設穴形成箇所にインプラント埋設穴Ｈを形成する際には、第１部材６２０及び第２部材６３０が予め所望の相対位置（例えば図２３の破線で示された位置）で固定され、その後、第２部材６３０がサージカルガイドのガイド部材１０２に係合されると共に、第２部材６３０がガイド部材１０２または埋設穴形成箇所の表面に直接的または間接的に当接することで、軸心Ｘに沿った第１部材６２０の移動が停止する。これは、第１部材６２０と第２部材６３０の相対位置が、埋設穴Ｈの所望の最大深度に対応して設定された限界点を決めることを意味する。
【０１９５】
第１部材６２０と第２部材６３０の相対位置が、インプラント埋設穴Ｈの所望の最大深度に対応して設定された限界点を決定するので、所望の最大深度となるように第１部材６２０と第２部材６３０の相対位置を調整することにより、埋設穴Ｈの形成時に前記限界点を越えることが防止される。よって、ドリル５２により形成される埋設穴Ｈの深度が、前記最大深度を超えることがない。つまり、前記最大深度を超えて埋設穴Ｈが形成されるという事態は確実に防止される。
【０１９６】
最大深度の調整は、第２部材６３０を回転させて第２部材６３０の突出長さを変更することで行なえるから、全長の異なる第２部材６３０を複数個用意しておき、必要に応じて交換する、という作業が不要となる。また、ヘッド１１の下方への移動距離は、第２部材６３０の延出長さによって連続的に調整可能なので、第１部材６２０と第２部材の全長を変えることなく、最大深度を容易且つ微細に調整することができる。
【０１９７】
なお、インプラント埋設穴Ｈの形成時には、給水部６３３がガイド部材１０２のガイド溝に係合し、給水部６３３には連結チューブが接続されるので、第２部材６３０が回転して第２部材６３０の突出長さが変わり、所望の最大深度が変わる事態は防止できる。
【０１９８】
（第９実施形態）
図２６〜図２７は、本発明の第９実施形態に係る歯科用インプラント埋設穴形成補助装置１Ｈを示す。本実施形態は、上述した本発明の第３の観点による歯科用インプラント埋設穴形成補助装置に対応する。本実施形態も同心型サージカルガイド専用である。
【０１９９】
本実施形態に係るインプラント埋設穴形成補助装置１Ｈは、上述した第８実施形態と同様に、雄ネジ７２３を外面に持つ第１部材７２０と、雌ネジ７３３ａを内面に持つ第２部材７３０ａと、雌ネジ７３３ｂを内面に持つ第２部材７３０ｂとを備えている。つまり、一つの第１部材７２０の外側に、二つの第２部材７３０ａ及び第２部材７３０ｂが螺合せしめられている。下位にある第２部材７３０ｂは、ドリル５２による最大深度を調整するために使用される。上位にある第２部材７３０ａは、その下端が、所望の最大深度となるように位置が調整された第２部材７３０ｂの上端に接触するようにして固定され、下位にある第２部材７３０ｂの位置を固定するために使用される。
【０２００】
例えば、図２６の状態では、第２部材７３０ｂの端面７３０ｂｄが、第１部材７２０の下端よりも下方に配置されているから、ドリル５２の最大深度は、その端面７３０ｂｄで決定される。他方、図２７の状態では、第１部材７２０の端面７２０ｄが、下位にある第２部材７３０ｂの下端よりも下方に配置されているから、ドリル５２による最大深度は、その端面７２０ｄで決定される。
【０２０１】
本実施形態に係るインプラント埋設穴形成補助装置１Ｈでは、所望の最大深度に対応して設定された下位の第２部材７３０ｂの相対位置が、上位の第２部材７３０ａによって保持・固定されるので、インプラント埋設穴Ｈの形成時に、第２部材７３０ｂが意図しない変位をして所望の最大深度が変わるのを、確実に防止できる。
【０２０２】
（第１０実施形態）
図２８は、本発明の第１０実施形態に係る歯科用インプラント埋設穴形成補助装置１Ｉを示す。本実施形態は、上述した本発明の第２の観点による歯科用インプラント埋設穴形成補助装置に対応する。本実施形態は、偏心型サージカルガイド専用である。
【０２０３】
本実施形態に係るインプラント埋設穴形成補助装置１Ｉは、第１部材８２０に、ドリル５２の基端に係止可能な延長シャフト部８２３が設けてあり、その延長シャフト部８２３をハンドピース１０のヘッド１１の内部に挿入・係止することで、ヘッド１１に回転可能に保持されるようにしている。延長シャフト８４０以外の構成は、図１５の第４実施形態に係る歯科用インプラント埋設穴形成補助装置１Ｃとほぼ同じである。第１部材８２０は、延長シャフト部８２３でヘッド１１に保持されるので、磁石は不要である。
【０２０４】
第１部材８２０と第２部材８３０は、いずれも円筒形で、図２８のように互いに係合させてから、第１部材８２０がヘッド１１に係止され、第２部材８３０が第１部材８２０に係合されている。ドリル５２は、その基端が、第２部材８３０の透孔８３１を貫通して第１部材８２０の凹部８２１に挿入されており、それによって、凹部８２１の上底に設けられた係止部８２４に係止されている。
【０２０５】
第１部材８２０の下端外周面には環状突起８２２が形成されており、第２部材８３０の上端内周面には、環状突起８３２が形成されている。第１部材８２０の環状突起８２２と第２部材８３０の環状突起８３２が係合することで、第２部材８３０の第１部材８２０からの脱落が防止される。
【０２０６】
第２部材８３０の外面には、偏心型サージカルガイドのガイド溝に係合・案内される案内部８３３が形成されている。本実施形態の装置１Ｉは、案内部８３３を偏心型サージカルガイドのガイド部材に係合させて使用する。
【０２０７】
本実施形態では、第１部材８２０の延長シャフト部８４０をハンドピース１０のヘッド１１の内部に挿入・係止することで、第１部材８２０を介してドリル５２を回転させることができる。このため、ドリル５２の全長が短くて、所望の最大深度を実現できないような場合に、特に効果的である。
【０２０８】
（第１１実施形態）
図２９は、本発明の第１１実施形態に係る歯科用インプラント埋設穴形成補助装置１Ｊを示す。本実施形態は、上述した本発明の第３の観点による歯科用インプラント埋設穴形成補助装置に対応する。
【０２０９】
本実施形態に係るインプラント埋設穴形成補助装置１Ｊは、ハンドピース・カバー１３を利用して、図２４に示した第１部材６２０の上端に設けられた磁石６２２による保持力を補強するようにしたものである。ハンドピース・カバー１３は、ハンドピース１０の汚染を防止するために使用される既存のゴム製のハンドピース・カバーと同様の材質で形成されており、引っ張り力に対して所定以上の反発力（弾性）を持っている。このため、ハンドピース１０の全体を一定強度で締め付けながら覆っている。
【０２１０】
ハンドピース・カバー１３は、ドリル５２を挿通させるための小さい開口１３ａを有しており、その開口１３ａを介して第１部材６２０を突出させている。ハンドピース・カバー１３は、引っ張りに対して適切な弾性を有していて、装着時には、歯科医師が手で引っ張りながらハンドピース１０の外面に密着するようになっているので、第１部材６２０の磁石６２２は、開口１３ａの周縁部において、ハンドピース・カバー１３によってヘッド１１に向かって押圧される。その結果、第１部材６２０（の磁石６２２）の保持・固定力を容易に補強することができると共に、操作ミス等に起因して、第１部材６２０ひいてはインプラント埋設穴形成補助装置１Ｊが落下するのを防止することもできる。
【０２１１】
ハンドピース・カバー１３が十分な保持強度を持つ場合は、第１部材６２０の磁石６２２を省略し、ハンドピース・カバー１３の保持力だけで第１部材６２０を保持するようにしてもよい。
【０２１２】
本実施形態のハンドピース・カバー１３は、上述した第１〜第１０実施形態にも適用可能である。
【０２１３】
（第１２実施形態）
図３０は、本発明の第１２実施形態に係る歯科用インプラント埋設穴形成補助装置１Ｋの全体構成を示す。本実施形態は、上述した本発明の第３の観点による歯科用インプラント埋設穴形成補助装置に対応する。本実施形態も同心型サージカルガイド専用である。
【０２１４】
図３０から分かるように、本実施形態に係る歯科用インプラント埋設穴形成補助装置１Ｋは、円筒状の第１部材９２０と、略円筒状の第２部材９３０を備えている。第１部材９２０よりも、第２部材９３０の方が全長は長くなっている。
【０２１５】
第１部材９２０は、その中心にある円筒形の透孔９２１をドリル５２のシャンク５２ｂが挿通可能である。第１部材９２０の側壁には、透孔９２１に直交する方向にネジ孔が形成されていて、そのネジ孔に止めネジ９３２がネジ込まれている。第１部材９２０は、シャンク５２ｂをその透孔９２１に挿通させた状態で止めネジ９３２を締め付けることによって、シャンク５２ｂの所望の位置に固定することが可能である。なお、止めネジ９３２を締めたり緩めたりする際には、そのドライバ挿入穴９３３に適当なドライバの先端を係止していずれかの方向に回転させればよい。
【０２１６】
第２部材９３０は、第１部材９２０と同様に、その中心にある略円筒形の透孔９３１をドリル５２のシャンク５２ｂが挿通可能であるが、第１部材９２０とは異なり、直径が相対的に大きい円筒形の大径部（図３０では上位にある）と、直径が相対的に小さい円筒形の小径部（図３０では下位にある）とを相互接続した形状になっている。大径部の内側には、第１部材９２０の全体が嵌合可能である。止めネジ９３２は、締め付けた状態ではその全体がネジ孔に埋め込まれるので、止めネジ９３２の存在によって、第１部材９２０と第２部材９３０の嵌合に支障は生じない。小径部の内径は第１部材９２０の外径より小さいため、第１部材９２０が小径部に移行することはない。
【０２１７】
第２部材９３０の大径部（上位部分）は、第１部材９２０と嵌合されると、第１部材９２０の下端が大径部（上位部分）の内壁下端部に当接して、その位置で止まる。このため、第１部材９２０と第２部材９３０の相対位置はその状態に固定される。止めネジ９３２を締め付けることによって、第１部材９２０をシャンク５２ｂの任意の位置に固定することで、第２部材９３０の位置は自動的に決定される。こうして決定される第１部材９２０と第２部材９３０の相対位置は、インプラント埋設穴Ｈの所望の最大深度に対応して設定された限界点を決定する。
【０２１８】
以上のような構成を持つ本第１２実施形態に係るインプラント埋設穴形成補助装置１Ｋの動作（使用状態）は、上述した第９実施形態とほぼ同じである。すなわち、図３０の状態で穿孔作業を開始すると、止めネジ９３２で第１部材９２０がシャンク５２ｂに固定され、第２部材９３０が第１部材９２０に固定されているため、ヘッド１１の下降に伴って、第１部材９２０と第２部材９３０が一緒に下降する。第１部材９２０と第２部材９３０の相対位置が固定されており、ヘッド１１に対する第２部材９３０の相対位置が固定されているため、第２部材９３０の下端が顎骨７２の表面に当接することで、ヘッド１１のそれ以降の下降が禁止される。その結果、埋設穴Ｈの最大深度は、第２部材９３０の下端とドリル５２の刃部５２ａの先端との距離に等しくなる。したがって、顎骨７２の穿孔がそれ以上に進行することがなく、埋設穴Ｈの最大深度を越えて穿孔が進行するのを確実に防止することができる。
【０２１９】
また、第１部材９２０をシャンク５２ｂに固定する位置を変えることで、第１部材９２０と第２部材９３０の相対移動の限界点を容易に調整できるので、所望の最大深度の調整も容易である。また、第２部材９３０を全長（高さ）の異なるものに入れ替えることで、第１部材９２０と第２部材９３０の相対移動の限界点の調整が、より容易に行えるという利点もある。
【０２２０】
さらに、本１２実施形態の歯科用インプラント埋設穴形成補助装置１Ｋは、歯科医師が既に所有しているハンドピースに装着して使用できるだけでなく、取り扱いも容易であり、低いコストで製造できる点は、上述した第９実施形態と同様である。
【０２２１】
（第１３実施形態）
図３１は、本発明の第１３実施形態に係る歯科用インプラント埋設穴形成補助装置１Ｌの全体構成を示す。本実施形態は、上述した本発明の第３の観点による歯科用インプラント埋設穴形成補助装置に対応する。本実施形態も同心型サージカルガイド専用である。
【０２２２】
図３１から分かるように、本実施形態に係る歯科用インプラント埋設穴形成補助装置１Ｌは、円筒状の第１部材１０２０と、円筒状の第２部材１０３０を備えている。第１部材１０２０よりも、第２部材１０３０の方が全長は長くなっている。
【０２２３】
第１部材１０２０は、その中心にある円筒形の透孔１０２１をドリル５２のシャンク５２ｂが挿通可能である。第１部材１０２０の側壁には、透孔１０２１に直交する方向にネジ孔が形成されていて、そのネジ孔に止めネジ１０３２がネジ込まれている。第１部材１０２０は、シャンク５２ｂをその透孔１０２１に挿通させた状態で止めネジ１０３２を締め付けることによって、シャンク５２ｂの所望の位置に固定することが可能である。なお、止めネジ１０３２を締めたり緩めたりする際には、そのドライバ挿入穴１０３３に適当なドライバの先端を係止していずれかの方向に回転させればよい。第１部材１０２０の下端部（ヘッド１１とは反対側の端部）の外面には、第２部材１０３０を接続するための雄ネジ部１０２２と非ネジ部１０２３が形成されている。雄ネジ部１０２２は第１部材１０２０の下端に位置し、非ネジ部１０２３は雄ネジ部１０２２の上位（ヘッド１１の側）に隣接している。
【０２２４】
第２部材１０３０は、第１部材１０２０と同様に、その中心にある円筒形の透孔１０３１をドリル５２のシャンク５２ｂが挿通可能であるが、透孔１０３１の直径は第１部材１０２０の透孔１０２１よりも大きい。第２部材１０３０の上端部（ヘッド１１の側の端部）には、雌ネジ部１０３４と非ネジ部１０３５が形成されている。雌ネジ部１０３４は第２部材１０３０の上端に位置し、非ネジ部１０３５は雌ネジ部１０３４の下位に隣接している。雌ネジ部１０３４は、第１部材１０２０の雄ネジ部１０２２と螺合可能である。また、雌ネジ部１０３４の内径は非ネジ部１０２３の外径より大きく、非ネジ部１０３５の内径は雌ネジ部１０２３の外径より大きい。第２部材１０３０の外径は、第１部材の１０２０の外径とほぼ同じである。
【０２２５】
第２部材１０３０の上端部の雌ネジ部１０３４を第１部材１０２０の下端部の雄ネジ部１０２２にねじ込むと、雌ネジ部１０３４は雄ネジ部１０２２を通過して非ネジ部１０２３に係合するが、やがて、第２部材１０３０の上端が第１部材１０２０の非ネジ部１０２３の上端にある対向面に当接し、それ以上の移動ができなくなる。この時、第２部材の雌ネジ部１０３４と非ネジ部１０３５とは、第１部材の非ネジ部１０２３と雄ネジ部１０２２にそれぞれ対向するので、第２部材の雌ネジ部１０３４と第１部材の雄ネジ部１０２２の螺合は外れている。このため、第２部材１０３０は、第１部材１０２０に対して、ドリルの軸心Ｘの周りに回転可能である。止めネジ１０３２を締め付けることによって、第１部材１０２０をシャンク５２ｂの任意の位置に固定すると、第２部材１０３０の位置が自動的に決定される。こうして決定される第１部材１０２０と第２部材１０３０の相対位置は、インプラント埋設穴Ｈの所望の最大深度に対応して設定された限界点を決定する。
【０２２６】
以上のような構成を持つ本第１３実施形態に係るインプラント埋設穴形成補助装置１Ｌの動作（使用状態）は、上述した第１２実施形態と同じである。すなわち、図３１の状態で穿孔作業を開始すると、止めネジ１０３２で第１部材１０２０がシャンク５２ｂに固定され、第２部材１０３０が第１部材１０２０に回転可能に係合されているため、ヘッド１１の下降に伴って、第１部材１０２０と第２部材１０３０が一緒に下降する。第１部材１０２０と第２部材１０３０の相対位置が固定されており、ヘッド１１に対する第２部材１０３０の相対位置が固定されているため、第２部材１０３０の下端が顎骨７２の表面に当接することで、ヘッド１１のそれ以降の下降が禁止される。その結果、埋設穴Ｈの最大深度は、第２部材１０３０の下端とドリル５２の刃部５２ａの先端との距離に等しくなる。したがって、顎骨７２の穿孔がそれ以上に進行することがなく、埋設穴Ｈの最大深度を越えて穿孔が進行するのを確実に防止することができる。
【０２２７】
また、第１部材１０２０をシャンク５２ｂに固定する位置を変えることで、第１部材１０２０と第２部材１０３０の相対移動の限界点を容易に調整できるので、所望の最大深度の調整も容易である。また、第２部材１０３０を全長（高さ）の異なるものに入れ替えることで、第１部材１０２０と第２部材１０３０の相対移動の限界点の調整が、より容易に行えるという利点もある。
【０２２８】
さらに、本１３実施形態の歯科用インプラント埋設穴形成補助装置１Ｌは、歯科医師が既に所有しているハンドピースに装着して使用できるだけでなく、取り扱いも容易であり、低いコストで製造できる点は、上述した第１２実施形態と同様である。
【０２２９】
（第１４実施形態）
図３２は、本発明の第１４実施形態に係る歯科用インプラント埋設穴形成補助装置１Ｍの全体構成を示す。図３３及び図３４は、それぞれ、この歯科用インプラント埋設穴形成補助装置１Ｍに使用される第１部材と第２部材の全体構成を示す。本実施形態は、上述した本発明の第３の観点による歯科用インプラント埋設穴形成補助装置に対応する。本実施形態も同心型サージカルガイド専用である。
【０２３０】
図３２から分かるように、本実施形態に係る歯科用インプラント埋設穴形成補助装置１Ｍは、円筒状の第１部材１１２０と、略円筒状の第２部材１１３０を備えている。第１部材１１２０よりも、第２部材１１３０の方が全長は長くなっている。
【０２３１】
第１部材１１２０は、その中心にある円筒形の透孔１１２１をドリル５２のシャンク５２ｂが挿通可能である。第１部材１１２０の上端部には、第１部材１１２０の外径より少し大きい直径の鍔部１１２２が形成されている（図３３を参照）。鍔部１１２２の直下には、第２部材１１３０の係止用突起１１３３が係止される円形の係止用溝１１２３が形成されている。第１部材１１２０の内壁の上端部には、Ｏリング溝１１２４が形成されている。Ｏリング溝１１２４には、Ｏリング１１２５が係合されている。この状態では、Ｏリング１１２５の内径は、シャンク５２ｂの外径より少し小さく設定されているため、第１部材１１２０は、Ｏリング１１２５とシャンク５２ｂの間の摩擦力（弾性力）によってその位置に係止（位置決め）される。
【０２３２】
第２部材１１３０は、第１部材１１２０と同様に、その中心にある略円筒形の透孔１１３１をドリル５２のシャンク５２ｂが挿通可能であるが、その透孔１１３１の直径は、第１部材１１２０の外径より少し大きく設定されている。また、第２部材１１３０の上端部には、透孔１１３１に沿って複数のスリット１１３２が形成されているため（図３４を参照）、その上端部は外側に向かって少量の弾性変形が可能である。さらに、第２部材１１３０の上端縁の内側には、透孔１１３１の中心軸に向かって突出する円形の係止用突起１１３３が形成されている。係止用突起１１３３は、第１部材１１２０の係止用溝１１２３に係止可能である。このため、第２部材１１３０は、図３２に示すように、第１部材１１２０の外側に係止・嵌合可能である。嵌合状態では、第２部材１１３０の上端が第１部材１１２０の鍔部１１２２の下面に当接するため、第１部材１１２０と第２部材１１３０の相対位置は、その状態（図３２に示した状態）に固定される。このため、第１部材１１２０と第２部材１１３０の相対位置はその状態に固定される。なお、Ｏリング１１２５をシャンク５２ｂに係止させることによって、図３２のように第１部材１１２０をシャンク５２ｂの任意の位置に固定すると、第１部材１１２０の上端に対する第２部材１１３０の下端の位置が自動的に決定される。こうして決定される第１部材１１２０と第２部材１１３０の相対位置は、インプラント埋設穴Ｈの所望の最大深度に対応して設定された限界点を決定する。
【０２３３】
以上のような構成を持つ本第１４実施形態に係るインプラント埋設穴形成補助装置１Ｍの動作（使用状態）は、上述した第９実施形態とほぼ同じである。すなわち、図３２の状態で穿孔作業を開始すると、Ｏリング１１２５によって第１部材１１２０がシャンク５２ｂの所望の位置に位置決めされ、第２部材１１３０が第１部材１１２０に固定されているため、ヘッド１１の下降に伴って、第１部材１１２０と第２部材１１３０が一緒に下降する。Ｏリング１１２５によって第１部材１１２０がシャンク５２ｂに係止されており、第１部材１１２０と第２部材１１３０の相対位置が固定されているため、第２部材１１３０の下端が顎骨７２の表面に当接すると、ヘッド１１の下降に伴って第１部材１１２０と第２部材１１３０は一緒に押し上げられ、図３２のように第１部材１１２０の上端（鍔部１１２２の表面）がヘッド１１に当接して停止する。こうして、ヘッド１１のそれ以降の下降が禁止される。その結果、埋設穴Ｈの最大深度は、第２部材１１３０の下端とドリル５２の刃部５２ａの先端との距離に等しくなる。したがって、顎骨７２の穿孔がそれ以上に進行することがなく、埋設穴Ｈの最大深度を越えて穿孔が進行するのを確実に防止することができる。
【０２３４】
また、第１部材１１２０をシャンク５２ｂに係止する位置を変えることで、第１部材１１２０と第２部材１１３０の相対移動の限界点を容易に調整できる。また、第２部材１１３０を全長（高さ）の異なるものに入れ替えることで、所望の最大深度の調整も容易である。
【０２３５】
さらに、本実施形態の歯科用インプラント埋設穴形成補助装置１Ｍは、歯科医師が既に所有しているハンドピースに装着して使用できるだけでなく、取り扱いも容易であり、低いコストで製造できる点は、上述した第９実施形態と同様である。
【０２３６】
（変形例）
上述した第１〜第１４実施形態は、本発明を具体化した例を示すものである。したがって、本発明はこの実施形態に限定されるものではなく、本発明の趣旨を外れることなく種々の変形が可能であることは言うまでもない。
【０２３７】
例えば、上述した実施形態では、本発明の歯科用インプラント埋設穴形成補助装置は、その第１部材または第２部材（またはそれらに設けられた係合部や係合案内部）をサージカルガイドのガイド孔またはガイド溝に係合しながら穿孔作業をするものとして説明したが、これは、穿孔精度の観点から見ると好ましいからである。しかし、サージカルガイドの使用は、歯科医師の動作や技量を却って制限する場合もある。そこで、歯科医師が自身の技量で補うことができると判断したとき等は、サージカルガイドを使用せずにインプラント埋設穴の形成作業を行うことがある。この場合、本発明の歯科用インプラント埋設穴形成補助装置を使用しても、ドリル等の回転器具はガイド孔またはガイド溝によって案内されないが、第１部材または第２部材（あるいはスペーサ）によって最大穿孔深度は確実に制限されるため、顎骨が過度に穿孔されることに起因する種々の症状や障害は確実に防止される。
【符号の説明】
【０２３８】
１、１Ａ、１Ｂ、１Ｃ、１Ｄ、１Ｅ、１Ｆ、１Ｇ、１Ｈ、１Ｉ、１Ｊ、１Ｋ、１Ｌ、１Ｍ  インプラント埋設穴形成補助装置
１０  ハンドピース
１１  ヘッド
１１ａ  突出部
１２  ネック
１３  給水部
１３ａ  開口
１４  給水管
１５、１６  連結チューブ
１７  ハンドピース・カバー
２０  第１部材
２１  部材本体
２１ａ  貫通孔
２１ｂ  凹部
２１ｃ  係合部
２２  磁石
２２ａ  貫通孔
３０  第２部材
３１  案内部
３１  係合部
３１ｂ  突起
３１ｃ  案内溝
３２  連結部
３３  係合案内部
３３ａ  エッジ
３４  給水部
３５  透孔
３６  内部空間
３７  係合部
４０  スペーサ
５１  バネ
５２  ドリル
５２ａ  刃部
５２ｂ  シャンク
６０  装着部材
６１  係合案内部
６１、６２  係合部
６３  連結部
６４  磁石嵌合部
６５  部材嵌合部
６６  ハンドピース嵌合部
６７  磁石
６７ａ  透孔
７１  粘膜
７２  顎骨
１０１、１０２  ガイド部材
１２０  第１部材
１２１  透孔
１２２  環状突起
１３０  第２部材
１３２  環状突起
２２０  第１部材
２２２  環状突起
２３０  第２部材
２３２  環状突起
３２０  第１部材
３２２  磁石
３２３  給水部
３３０  第２部材
３３２  磁石
３３２  鍔部
３３３  スリット
４２０  第１部材
４２２  磁石
４３０  第２部材
４３２  ネジ
４４０  スペーサ
５２０  第１部材
５２１  透孔
５２２  スリット
５２３  リング
５３０  第２部材
５３１  透孔
５３２  凹溝
５３３  リング
６２０  第１部材
６２１  透孔
６２２  磁石
６２３  雄ネジ
６３０  第２部材
６３１  透孔
６３２  雌ネジ
６３４  給水路
６３５  給水路
６３６  切欠部
７２０  第１部材
７２０ｄ  端面
７２３  雄ネジ
７３０ａ  第２部材
７３０ｂ  第２部材
７３０ｄ  端面
７３３ａ  雌ネジ
７３３ｂ  雌ネジ
８２０  第１部材
８２１  凹部
８２２  環状突起
８２３  延長シャフト部
８３０  第２部材
８３１  透孔
８３２  環状突起
８３３  案内部
９２０  第１部材
９２１  透孔
９３０  第２部材
９３１  透孔
９３２  止めネジ
９３３  ドライバ挿入穴
１０２０  第１部材
１０２１  透孔
１０２２  雄ネジ部
１０２３  非ネジ部
１０３０  第２部材
１０３１  透孔
１０３２  止めネジ
１０３３  ドライバ挿入穴
１０３４  雌ネジ部
１０３５  非ネジ部
１１２０  第１部材
１１２１  透孔
１１２２  鍔部
１１２３  係止用溝
１１２４  Ｏリング溝
１１２５  Ｏリング
１１３０  第２部材
１１３１  透孔
１１３２  スリット
１１３３  係止用突起
Ｈ  インプラント埋設穴
Ｘ  ドリルの軸心
【図１】
2014087633.tif 000003
【図２】
2014087633.tif 000004
【図３】
2014087633.tif 000005
【図４】
2014087633.tif 000006
【図５】
2014087633.tif 000007
【図６Ａ】
2014087633.tif 000008
【図６Ｂ】
2014087633.tif 000009
【図７】
2014087633.tif 000010
【図８】
2014087633.tif 000011
【図９】
2014087633.tif 000012
【図１０】
2014087633.tif 000013
【図１１】
2014087633.tif 000014
【図１２】
2014087633.tif 000015
【図１３】
2014087633.tif 000016
【図１４】
2014087633.tif 000017
【図１５】
2014087633.tif 000018
【図１６】
2014087633.tif 000019
【図１７】
2014087633.tif 000020
【図１８】
2014087633.tif 000021
【図１９】
2014087633.tif 000022
【図２０】
2014087633.tif 000023
【図２１】
2014087633.tif 000024
【図２２】
2014087633.tif 000025
【図２３】
2014087633.tif 000026
【図２４】
2014087633.tif 000027
【図２５】
2014087633.tif 000028
【図２６】
2014087633.tif 000029
【図２７】
2014087633.tif 000030
【図２８】
2014087633.tif 000031
【図２９】
2014087633.tif 000032
【図３０】
2014087633.tif 000033
【図３１】
2014087633.tif 000034
【図３２】
2014087633.tif 000035
【図３３】
2014087633.tif 000036
【図３４】
2014087633.tif 000037